(57)【特許請求の範囲】
【請求項１】
複数のユーザーがログイン可能な情報処理装置であって、
画像を表示する表示手段と、
前記表示手段の表示面中の位置が異なる複数の個人表示領域に、前記複数のユーザーにそれぞれ対応する個人領域画像を表示し、前記複数のユーザー間で前記表示手段の表示面中の位置が同じ共通表示領域に共通画像を表示し、前記複数の個人表示領域それぞれに、対応するユーザーのアクセス権限に基づいて取得したデータの画像を移動可能な状態で表示する表示制御手段と、
ユーザーの操作を受け付ける操作受付手段と、
前記複数の個人表示領域それぞれに配置されたデータの画像を前記操作受付手段により受け付けられる操作に基づいて前記表示手段の表示面中で移動させる移動手段と、
前記共通表示領域中に、制限内容の異なる１以上の種類の権限にそれぞれ対応する１以上の権限設定領域を表示する設定領域表示手段と、
前記移動手段により前記個人表示領域に配置された画像が１以上の権限設定領域のいずれかへ移動されることに応じて、前記１以上の権限設定領域のうち前記画像が移動された後の位置を含む権限設定領域に対応する種類の権限を、前記移動された画像に対応するデータに対して決定する権限決定手段と、
前記操作受付手段により受け付けられる操作に基づく前記取得されたデータへのアクセスを、前記設定された権限に従って制限する制限手段と、を備え、
前記表示制御手段は、前記複数のユーザーのいずれかがログアウトすることに応じて、前記ログアウトしたユーザーのアクセス権限に基づいて取得されたデータのうち前記個人表示領域に配置された画像の表示を終了し、前記共通表示領域に配置された画像の表示を継続する、情報処理装置。
【請求項２】
複数のユーザーがログイン可能な情報処理装置であって、
画像を表示する表示手段と、
前記表示手段の表示面中の位置が異なる複数の個人表示領域に、前記複数のユーザーにそれぞれ対応する個人領域画像を表示し、前記複数のユーザー間で前記表示手段の表示面中の位置が同じ共通表示領域に共通画像を表示し、前記複数の個人表示領域それぞれに、対応するユーザーのアクセス権限に基づいて取得したデータの画像を移動可能な状態で表示する表示制御手段と、
ユーザーの操作を受け付ける操作受付手段と、を備え、
前記表示制御手段は、前記複数のユーザーのいずれかがログアウトすることに応じて、前記ログアウトしたユーザーのアクセス権限に基づいて取得されたデータのうち前記個人表示領域に配置された画像の表示を終了し、前記共通表示領域に配置された画像の表示を継続し、さらに、
前記表示制御手段は、ログインした複数のユーザーにそれぞれ対応し、対応するユーザーのログイン中にのみ処理を実行する複数の個人タスク実行手段と、
前記複数の個人タスク実行手段を制御するタスク制御手段と、を含み、
前記複数の個人タスク実行手段の各々は、
前記複数のユーザーごとに前記個人表示領域および前記共通表示領域を含み、対応するユーザーのアクセス権限に基づいて取得されたデータの画像を前記個人表示領域に配置した個人タスク画像を生成する個人タスク画像生成手段と、
前記複数の個人表示領域それぞれに配置されたデータの画像を前記操作受付手段により受け付けられる操作に基づいて前記表示手段の表示面中で移動させる移動手段と、を含み、
前記タスク制御手段は、前記複数のユーザーのいずれかがログアウトすることに応じて、前記ログアウトしたユーザーのアクセス権限に基づいて取得されたデータの画像のうち前記共通表示領域に配置された画像を、前記共通表示領域に配置した共通画像を生成する共通画像生成手段と、
前記複数の個人タスク実行手段のうちログイン中の１以上のユーザーにそれぞれ対応する１以上の前記個人タスク実行手段によりそれぞれ生成される１以上の個人タスク画像と前記共通画像とを合成した合成画面を前記表示手段に表示させる合成画面表示手段と、を備えた情報処理装置。
【請求項３】
前記タスク制御手段は、さらに、
前記複数の個人タスク実行手段のいずれかに対応するユーザーがログアウトすることに応じて、前記複数の個人タスク実行手段のうち対応したユーザーがログアウトした個人タスク実行手段により前記共通表示領域に移動された画像に対応するデータを取得するデータ取得手段を備えた、請求項２に記載の情報処理装置。
【請求項４】
前記タスク制御手段は、さらに、
前記取得されたデータへのアクセスを制限するための権限を設定する権限設定手段を備えた、請求項３に記載の情報処理装置。
【請求項５】
前記タスク制御手段は、さらに、
前記操作受付手段により受け付けられる操作に基づく前記取得されたデータへのアクセスを、前記設定された権限に従って制限する制限手段を備え、
前記複数の個人タスク実行手段の各々は、さらに、
前記共通表示領域中に、制限内容の異なる１以上の種類の権限にそれぞれ対応する１以上の権限設定領域を表示する設定領域表示手段と、
前記移動手段により前記個人表示領域に配置された画像が１以上の権限設定領域のいずれかへ移動されることに応じて、前記１以上の権限設定領域のうち前記画像が移動された後の位置を含む権限設定領域に対応する種類の権限を、前記移動された画像に対応するデータに対して決定する権限決定手段と、を含み、
前記権限設定手段は、前記データ取得手段により取得されたデータに、前記権限決定手段により決定された種類の権限を設定する、請求項４に記載の情報処理装置。
【請求項６】
前記１以上の種類の権限は、前記複数のユーザーの全てがログアウトする前後で制限内容が異なる種類の権限を含む、請求項５に記載の情報処理装置。
【請求項７】
前記タスク制御手段は、さらに、
前記取得されたデータを、前記複数のユーザーの全てがログアウトした後の有効期間の経過後に削除する削除手段を、備えた、請求項３〜６のいずれかに記載の情報処理装置。
【請求項８】
前記タスク制御手段は、さらに、
前記複数の個人タスク実行手段のいずれかにより前記個人表示領域に配置される画像に対応するデータを取得するタスク別データ取得手段を、備え、
前記データ取得手段は、前記複数の個人タスク実行手段のうち対応したユーザーがログアウトした個人タスク実行手段が前記個人表示領域に画像を配置するために前記タスク別データ取得手段によって取得されたデータを取得する、請求項３〜６のいずれかに記載の情報処理装置。
【請求項９】
複数のユーザーがログイン可能な情報処理装置で実行される会議支援方法であって、
表示手段の表示面中の位置が異なる複数の個人表示領域に、前記複数のユーザーにそれぞれ対応する個人タスク画像を表示し、前記複数のユーザー間で前記表示手段の表示面中の位置が同じ共通表示領域に共通画像を表示するステップと、
前記複数の個人表示領域それぞれに、対応するユーザーのアクセス権限に基づいて取得したデータの画像を移動可能な状態で表示するステップと、
前記複数の個人表示領域それぞれに配置されたデータの画像をユーザーの操作に基づいて前記表示手段の表示面中で移動させる移動ステップと、
前記共通表示領域中に、制限内容の異なる１以上の種類の権限にそれぞれ対応する１以上の権限設定領域を表示する設定領域表示ステップと、
前記移動ステップにおいて前記個人表示領域に配置された画像が１以上の権限設定領域のいずれかへ移動されることに応じて、前記１以上の権限設定領域のうち前記画像が移動された後の位置を含む権限設定領域に対応する種類の権限を、前記移動された画像に対応するデータに対して決定する権限決定ステップと、
ユーザーの操作に基づく前記取得されたデータへのアクセスを、前記設定された権限に従って制限する制限ステップと、
前記複数のユーザーのいずれかがログアウトすることに応じて、前記ログアウトしたユーザーのアクセス権限に基づいて取得されたデータのうち前記個人表示領域に配置された画像の表示を終了し、前記共通表示領域に配置された画像の表示を継続するステップと、を含む、会議支援方法。
【請求項１０】
複数のユーザーがログイン可能な情報処理装置を制御するコンピューターで実行される会議支援プログラムであって、
表示手段の表示面中の位置が異なる複数の個人表示領域に、前記複数のユーザーにそれぞれ対応する個人タスク画像を表示し、前記複数のユーザー間で前記表示手段の表示面中の位置が同じ共通表示領域に共通画像を表示するステップと、
前記複数の個人表示領域それぞれに、対応するユーザーのアクセス権限に基づいて取得したデータの画像を移動可能な状態で表示するステップと、
前記複数の個人表示領域それぞれに配置されたデータの画像をユーザーの操作に基づいて前記表示手段の表示面中で移動させる移動ステップと、
前記共通表示領域中に、制限内容の異なる１以上の種類の権限にそれぞれ対応する１以上の権限設定領域を表示する設定領域表示ステップと、
前記移動ステップにおいて前記個人表示領域に配置された画像が１以上の権限設定領域のいずれかへ移動されることに応じて、前記１以上の権限設定領域のうち前記画像が移動された後の位置を含む権限設定領域に対応する種類の権限を、前記移動された画像に対応するデータに対して決定する権限決定ステップと、
ユーザーの操作に基づく前記取得されたデータへのアクセスを、前記設定された権限に従って制限する制限ステップと、
前記複数のユーザーのいずれかがログアウトすることに応じて、前記ログアウトしたユーザーのアクセス権限に基づいて取得されたデータのうち前記個人表示領域に配置された画像の表示を終了し、前記共通表示領域に配置された画像の表示を継続するステップと、を前記コンピューターに実行させる、会議支援プログラム。
【発明の詳細な説明】
【技術分野】
【０００１】
この発明は、情報処理装置、会議支援方法および会議支援プログラムに関し、特に、複数のユーザーによる会議に用いられる情報処理装置、その情報処理装置で実行される会議支援方法および会議支援プログラムに関する。
【背景技術】
【０００２】
会議において、複数のユーザー各々が有するデータを複数のユーザーが閲覧しつつ議論を進めていくことがある。この会議に用いられる情報処理装置として、特開２０１３−１２５５５１号公報には、操作面、表示面を備えたタッチパネルディスプレイと、タッチパネルディスプレイのパネルの各外郭辺を表示上の下側、パネル外郭辺からパネル中心に向けた方向を表示上の上側とした向きで、各ユーザーのデスクトップ画面を表示するよう、タッチパネルディスプレイの表示を制御する制御部と、を有する情報処理装置が記載されている。
【０００３】
しかしながら、特開２０１３−１２５５５１号公報に記載の情報処理装置は、ログインしている複数のユーザーのうち一人が情報処理装置からログアウトする場合には、ログアウトしたユーザーのデスクトップ画面が表示されなくなるので、ログイン中の他のユーザーは、ログアウトしたユーザーのデスクトップ画面に表示されていたデータを閲覧することができなくなるという問題がある。
【特許文献１】特開２０１３−１２５５５１号公報
【発明の概要】
【発明が解決しようとする課題】
【０００４】
この発明は上述した問題点を解決するためになされたもので、この発明の目的の一つは、ログアウトしたユーザーがアクセス可能なデータに対して、ログインしているユーザーによるアクセスを可能にした情報処理装置を提供することである。
【０００５】
この発明の他の目的は、ログアウトしたユーザーがアクセス可能なデータに対して、ログインしているユーザーによるアクセスを可能にした会議支援方法を提供することである。
【０００６】
この発明のさらに他の目的は、ログアウトしたユーザーがアクセス可能なデータに対して、ログインしているユーザーによるアクセスを可能にした会議支援プログラムを提供することである。
【課題を解決するための手段】
【０００７】
この発明は上述した問題点を解決するためになされたもので、この発明のある局面によれば、情報処理装置は、複数のユーザーがログイン可能な情報処理装置であって、画像を表示する表示手段と、表示手段の表示面中の位置が異なる複数の個人表示領域に、複数のユーザーにそれぞれ対応する個人領域画像を表示し、複数のユーザー間で表示手段の表示面中の位置が同じ共通表示領域に共通画像を表示し、複数の個人表示領域それぞれに、対応するユーザーのアクセス権限に基づいて取得したデータの画像を移動可能な状態で表示する表示制御手段と、ユーザーの操作を受け付ける操作受付手段と、複数の個人表示領域それぞれに配置されたデータの画像を操作受付手段により受け付けられる操作に基づいて表示手段の表示面中で移動させる移動手段と、共通表示領域中に、制限内容の異なる１以上の種類の権限にそれぞれ対応する１以上の権限設定領域を表示する設定領域表示手段と、移動手段により個人表示領域に配置された画像が１以上の権限設定領域のいずれかへ移動されることに応じて、１以上の権限設定領域のうち画像が移動された後の位置を含む権限設定領域に対応する種類の権限を、移動された画像に対応するデータに対して決定する権限決定手段と、操作受付手段により受け付けられる操作に基づく取得されたデータへのアクセスを、設定された権限に従って制限する制限手段と、を備え、表示制御手段は、複数のユーザーのいずれかがログアウトすることに応じて、ログアウトしたユーザーのアクセス権限に基づいて取得されたデータのうち個人表示領域に配置された画像の表示を終了し、共通表示領域に配置された画像の表示を継続する。
【０００８】
この局面に従えば、複数のユーザーのいずれかがログアウトすることに応じて、ログアウトしたユーザーのアクセス権限に基づいて取得されたデータのうち個人表示領域に配置された画像の表示を終了し、共通表示領域に配置された画像の表示を継続する。このため、ログアウトするユーザーは、自身のアクセス権限に基づいて取得されたデータの画像を共通表示領域に配置するか否かで、他のユーザーによる閲覧を許可するか否かを設定することができる。また、ログアウトしていないユーザーは、ログアウトしたユーザーのアクセス権限に基づいて取得されたデータを閲覧することができる。その結果、ログアウトしたユーザーがアクセス可能なデータに対して、ログインしているユーザーによるアクセスを可能にした情報処理装置を提供することができる。
【０００９】
この発明の他の局面によれば、情報処理装置は、複数のユーザーがログイン可能な情報処理装置であって、画像を表示する表示手段と、表示手段の表示面中の位置が異なる複数の個人表示領域に、複数のユーザーにそれぞれ対応する個人領域画像を表示し、複数のユーザー間で表示手段の表示面中の位置が同じ共通表示領域に共通画像を表示し、複数の個人表示領域それぞれに、対応するユーザーのアクセス権限に基づいて取得したデータの画像を移動可能な状態で表示する表示制御手段と、ユーザーの操作を受け付ける操作受付手段と、を備え、表示制御手段は、複数のユーザーのいずれかがログアウトすることに応じて、ログアウトしたユーザーのアクセス権限に基づいて取得されたデータのうち個人表示領域に配置された画像の表示を終了し、共通表示領域に配置された画像の表示を継続し、さらに、ユーザーの操作を受け付ける操作受付手段を、さらに備え、表示制御手段は、ログインした複数のユーザーにそれぞれ対応し、対応するユーザーのログイン中にのみ処理を実行する複数の個人タスク実行手段と、複数の個人タスク実行手段を制御するタスク制御手段と、を含み、複数の個人タスク実行手段の各々は、複数のユーザーごとに個人表示領域および共通表示領域を含み、対応するユーザーのアクセス権限に基づいて取得されたデータの画像を個人表示領域に配置した個人タスク画像を生成する個人タスク画像生成手段と、複数の個人表示領域それぞれに配置されたデータの画像を操作受付手段により受け付けられる操作に基づいて表示手段の表示面中で移動させる移動手段と、を含み、タスク制御手段は、複数のユーザーのいずれかがログアウトすることに応じて、ログアウトしたユーザーのアクセス権限に基づいて取得されたデータの画像のうち共通表示領域に配置された画像を、共通表示領域に配置した共通画像を生成する共通画像生成手段と、複数の個人タスク実行手段のうちログイン中の１以上のユーザーにそれぞれ対応する１以上の個人タスク実行手段によりそれぞれ生成される１以上の個人タスク画像と共通画像とを合成した合成画面を表示手段に表示させる合成画面表示手段と、を備える。
【００１０】
この局面に従えば、複数のユーザーのいずれかがログアウトすることに応じて、ログアウトしたユーザーのアクセス権限に基づいて取得されたデータの画像のうち共通表示領域に配置された画像を共通表示領域に配置した共通画像が生成され、ログイン中の１以上のユーザーにそれぞれ対応する１以上の個人タスク画像と共通画像とを合成した合成画面が表示させる。このため、ログアウトしたユーザーのアクセス権限に基づいて取得されたデータの画像を共通表示領域に配置した共通画像が表示されるので、ログアウトしたユーザーのアクセス権限に基づいて取得されたデータに対して、ログインしているユーザーによるアクセスが可能となる。
【００１１】
好ましくは、タスク制御手段は、さらに、複数の個人タスク実行手段のいずれかに対応するユーザーがログアウトすることに応じて、複数の個人タスク実行手段のうち対応したユーザーがログアウトした個人タスク実行手段により共通表示領域に移動された画像に対応するデータを取得するデータ取得手段を備える。
【００１２】
この局面に従えば、ユーザーがログアウトすることに応じて、ログアウトしたユーザーのアクセス権限に基づいて取得されたデータのうち共通表示領域に対応する画像が配置されたデータを取得するので、ログアウトしたユーザーのアクセス権限に基づいて取得されたデータに対して、ログインしているユーザーによるアクセスが可能となる。
【００１３】
好ましくは、タスク制御手段は、さらに、取得されたデータへのアクセスを制限するための権限を設定する権限設定手段を備える。
【００１４】
この局面に従えば、取得されたデータへのアクセスを制限するので、ログアウトしたユーザーは、自身のアクセス権限に基づいて取得されたデータに対して、ログインしているユーザーによるアクセスを制限することができる。
【００１５】
好ましくは、タスク制御手段は、さらに、操作受付手段により受け付けられる操作に基づく取得されたデータへのアクセスを、設定された権限に従って制限する制限手段を備え、複数の個人タスク実行手段の各々は、さらに、共通表示領域中に、制限内容の異なる１以上の種類の権限にそれぞれ対応する１以上の権限設定領域を表示する設定領域表示手段と、移動手段により個人表示領域に配置された画像が１以上の権限設定領域のいずれかへ移動されることに応じて、１以上の権限設定領域のうち画像が移動された後の位置を含む権限設定領域に対応する種類の権限を、移動された画像に対応するデータに対して決定する権限決定手段と、を含み、権限設定手段は、データ取得手段により取得されたデータに、権限決定手段により決定された種類の権限を設定する。
【００１６】
この局面に従えば、共通表示領域中に、制限内容の異なる１以上の種類の権限にそれぞれ対応する１以上の権限設定領域が表示され、１以上の権限設定領域のうち画像が移動された後の位置を含む権限設定領域に対応する種類の権限を、移動された画像に対応するデータに対して決定される。このため、共通表示領域に配置された画像に対応するデータに付与する権限を、画像を移動させる操作で設定することができ、権限を設定する操作が容易となる。
【００１７】
好ましくは、１以上の種類の権限は、複数のユーザーの全てがログアウトする前後で制限内容が異なる種類の権限を含む。
【００１８】
好ましくは、タスク制御手段は、さらに、取得されたデータを、複数のユーザーの全てがログアウトした後の有効期間の経過後に削除する削除手段を、備える。
【００１９】
この局面に従えば、共通表示領域に配置された画像に対応するデータが、複数のユーザーの全てがログアウトした後の有効期間の経過後に削除されるので、データが拡散するのを防止することができる。
【００２０】
好ましくは、タスク制御手段は、さらに、複数の個人タスク実行手段のいずれかにより個人表示領域に配置される画像に対応するデータを取得するタスク別データ取得手段を、備え、データ取得手段は、複数の個人タスク実行手段のうち対応したユーザーがログアウトした個人タスク実行手段が個人表示領域に画像を配置するためにタスク別データ取得手段によって取得されたデータを取得する。
【００２１】
この発明の他の局面によれば、会議支援方法は、複数のユーザーがログイン可能な情報処理装置で実行される会議支援方法であって、表示手段の表示面中の位置が異なる複数の個人表示領域に、複数のユーザーにそれぞれ対応する個人タスク画像を表示し、複数のユーザー間で表示手段の表示面中の位置が同じ共通表示領域に共通画像を表示するステップと、複数の個人表示領域それぞれに、対応するユーザーのアクセス権限に基づいて取得したデータの画像を移動可能な状態で表示するステップと、複数の個人表示領域それぞれに配置されたデータの画像をユーザーの操作に基づいて表示手段の表示面中で移動させる移動ステップと、共通表示領域中に、制限内容の異なる１以上の種類の権限にそれぞれ対応する１以上の権限設定領域を表示する設定領域表示ステップと、移動ステップにおいて個人表示領域に配置された画像が１以上の権限設定領域のいずれかへ移動されることに応じて、１以上の権限設定領域のうち画像が移動された後の位置を含む権限設定領域に対応する種類の権限を、移動された画像に対応するデータに対して決定する権限決定ステップと、ユーザーの操作に基づく取得されたデータへのアクセスを、設定された権限に従って制限する制限ステップと、複数のユーザーのいずれかがログアウトすることに応じて、ログアウトしたユーザーのアクセス権限に基づいて取得されたデータのうち個人表示領域に配置された画像の表示を終了し、共通表示領域に配置された画像の表示を継続するステップと、を含む。
【００２２】
この局面に従えば、ログアウトしたユーザーがアクセス可能なデータに対して、ログインしているユーザーによるアクセスを可能にした会議支援方法を提供することができる。
【００２３】
この発明のさらに他の局面によれば、会議支援プログラムは、複数のユーザーがログイン可能な情報処理装置を制御するコンピューターで実行される会議支援プログラムであって、表示手段の表示面中の位置が異なる複数の個人表示領域に、複数のユーザーにそれぞ
れ対応する個人タスク画像を表示し、複数のユーザー間で表示手段の表示面中の位置が同じ共通表示領域に共通画像を表示するステップと、複数の個人表示領域それぞれに配置されたデータの画像をユーザーの操作に基づいて表示手段の表示面中で移動させる移動ステップと、共通表示領域中に、制限内容の異なる１以上の種類の権限にそれぞれ対応する１以上の権限設定領域を表示する設定領域表示ステップと、移動ステップにおいて個人表示領域に配置された画像が１以上の権限設定領域のいずれかへ移動されることに応じて、１以上の権限設定領域のうち画像が移動された後の位置を含む権限設定領域に対応する種類の権限を、移動された画像に対応するデータに対して決定する権限決定ステップと、ユーザーの操作に基づく取得されたデータへのアクセスを、設定された権限に従って制限する制限ステップと、複数の個人表示領域それぞれに、対応するユーザーのアクセス権限に基づいて取得したデータの画像を移動可能な状態で表示するステップと、複数のユーザーのいずれかがログアウトすることに応じて、ログアウトしたユーザーのアクセス権限に基づいて取得されたデータのうち個人表示領域に配置された画像の表示を終了し、共通表示領域に配置された画像の表示を継続するステップと、をコンピューターに実行させる。
【００２４】
この局面に従えば、ログアウトしたユーザーがアクセス可能なデータに対して、ログインしているユーザーによるアクセスを可能にした会議支援プログラムを提供することができる。
【図面の簡単な説明】
【００２５】
【図１】本発明の実施の形態の１つにおけるＭＦＰの外観を示す斜視図である。
【図２】ＭＦＰのハードウエア構成の概要を示すブロック図である。
【図３】ＭＦＰが備えるＣＰＵが有する機能の一例を示す図である。
【図４】タスク制御部および第１個人タスク実行部の機能の一例を示すブロック図である。
【図５】表示部の表示面を示す平面図である。
【図６】第１個人タスク画像の一例を示す図である。
【図７】第２個人タスク画像の一例を示す図である。
【図８】第３個人タスク画像の一例を示す図である。
【図９】第４個人タスク画像の一例を示す図である。
【図１０】個人表示領域に配置された画像の移動の一例を示す図である。
【図１１】権限設定領域の一例を示す図である。
【図１２】権限が付与されたデータから権限を変更する操作の一例を示す図である。
【図１３】共通画像の一例を示す図である。
【図１４】合成画面の一例を示す図である。
【図１５】ＭＦＰの動作の一例を示すタイムチャートである。
【図１６】タスク制御処理の流れの一例を示すフローチャートである。
【図１７】個人タスク実行処理の流れの一例を示すフローチャートである。
【図１８】画像配置更新処理の流れの一例を示すフローチャートである。
【図１９】画像表示処理の流れの一例を示すフローチャートである。
【図２０】合成画面更新処理の流れの一例を示すフローチャートである。
【図２１】データ操作処理の流れの一例を示すフローチャートである。
【発明を実施するための形態】
【００２６】
以下、本発明の実施の形態について図面を参照して説明する。以下の説明では同一の部品には同一の符号を付してある。それらの名称および機能も同じである。したがってそれらについての詳細な説明は繰返さない。
【００２７】
図１は、本発明の実施の形態の１つにおけるＭＦＰの外観を示す斜視図である。図２は、ＭＦＰのハードウエア構成の概要を示すブロック図である。図１および図２を参照して、ＭＦＰ（Ｍｕｌｔｉ  Ｆｕｎｃｔｉｏｎ  Ｐｅｒｉｐｈｅｒａｌ）１００は、情報処理装置の一例であり、メイン回路１１０と、表示部１２０と、タッチパネル１３０と、カメラ１４０Ａ〜１４０Ｄと、原稿を読み取る原稿読取部１５０と、原稿読取部１５０が原稿を読み取って出力する画像データに基づいて用紙等に画像を形成する画像形成部１６０と、画像形成部１６０に用紙を供給する給紙部１７０とを含む。
【００２８】
メイン回路１１０は、ＣＰＵ（Ｃｅｎｔｒａｌ  Ｐｒｏｃｅｓｓｉｎｇ  Ｕｎｉｔ）１１１と、通信Ｉ／Ｆ（Ｉｎｔｅｒｆａｃｅ）部１１２と、ＲＯＭ（Ｒｅａｄ  Ｏｎｌｙ  Ｍｅｍｏｒｙ）１１３と、ＲＡＭ（Ｒａｎｄｏｍ  Ａｃｃｅｓｓ  Ｍｅｍｏｒｙ）１１４と、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）１１５と、大容量記憶装置としてのＨＤＤ（Ｈａｒｄ  Ｄｉｓｋ  Ｄｒｉｖｅ）１１６と、ファクシミリ部１１７と、ＣＤ−ＲＯＭ（Ｃｏｍｐａｃｔ  Ｄｉｓｋ−ＲＯＭ）１１８Ａが装着される外部記憶装置１１８と、を含む。ＣＰＵ１１１は、表示部１２０、タッチパネル１３０、カメラ１４０Ａ〜１４０Ｄ、原稿読取部１５０、画像形成部１６０および給紙部１７０と接続され、ＭＦＰ１００の全体を制御する。
【００２９】
表示部１２０は、ＬＣＤ（Ｌｉｑｕｉｄ  Ｃｒｙｓｔａｌ  Ｄｉｓｐｌａｙ）または有機ＥＬＤ（Ｅｌｅｃｔｒｏ−Ｌｕｍｉｎｅｓｃｅｎｃｅ  Ｄｉｓｐｌａｙ）等の表示装置である。表示部１２０は、画像が表示される表示面が上側を向いてＭＦＰ１００の本体上部に配置される。表示部１２０は、表示面の１つの辺を中心に回転可能にＭＦＰ１００の本体に接続され、開閉可能である。表示部１２０の下方に、原稿読取部１５０が配置されており、表示部１２０が回転して開いた状態で、原稿読取部１５０が原稿を読み取るための読取面が露出する。表示部１２０は、ＣＰＵ１１１により制御され、画像を表示する。
【００３０】
タッチパネル１３０は、表示部１２０の上面または下面に設けられる。タッチパネル１３０は、ユーザーにより指示された表示部１２０の表示面中の位置を検出する。タッチパネル１３０は、検出した位置の座標をＣＰＵ１１１に出力する。
【００３１】
ＣＰＵ１１１は、タッチパネル１３０により検出された表示部１２０の表示面の位置から表示部１２０に表示された画像中の位置を特定し、ユーザーによる操作を検出する。例えば、ＣＰＵ１１１は、表示部１２０にキーボードを表示する場合、タッチパネル１３０によって検出される位置が、キーボードのいずれかのキーの画像中のならばそのキーの入力を指示する操作を検出する。
【００３２】
カメラ１４０Ａ〜１４０Ｄは、ＭＦＰ１００の本体の４方向の側面にそれぞれ設定される。具体的には、カメラ１４０Ａは、ＭＦＰ１００の左側面に設置され、カメラ１４０ＢはＭＦＰ１００の背面に設置され、カメラ１４０ＣはＭＦＰ１００の右側面に設置され、カメラ１４０ＤはＭＦＰ１００の正面に設置される。カメラ１４０Ａ〜１４０Ｄは、被写体を撮像して得られる画像データをＣＰＵ１１１に出力する。
【００３３】
ＲＯＭ１１３は、ＣＰＵ１１１が実行するプログラム、またはそのプログラムを実行するために必要なデータを記憶する。ＲＡＭ１１４は、ＣＰＵ１１１がプログラムを実行する際の作業領域として用いられる。
【００３４】
通信Ｉ／Ｆ部１１２は、ＭＦＰ１００をネットワークに接続するためのインターフェースである。ＣＰＵ１１１は、通信Ｉ／Ｆ部１１２を介してネットワークに接続された情報通信機器との間で通信し、データを送受信する。また、通信Ｉ／Ｆ部１１２は、ネットワークを介してインターネットに接続された情報通信機器と通信することが可能である。
【００３５】
ファクシミリ部１１７は、ＰＳＴＮ（公衆交換電話網）に接続され、ファクシミリデータを送受信する。ファクシミリ部１１７は、原稿読取部１５０により読み取られた画像データまたはＨＤＤ１１６に記憶されたデータをファクシミリデータに変換して、ＰＳＴＮに接続されたファクシミリ装置に送信する。また、ファクシミリ部１１７は、受信されたファクシミリデータをＨＤＤ１１６に記憶するか、画像形成部１６０にファクシミリデータの画像を用紙に形成させる。
【００３６】
外部記憶装置１１８には、ＣＤ−ＲＯＭ１１８Ａが装着される。ＣＰＵ１１１は、外部記憶装置１１８を介してＣＤ−ＲＯＭ１１８Ａにアクセス可能である。ＣＰＵ１１１は、外部記憶装置１１８に装着されたＣＤ−ＲＯＭ１１８Ａに記録されたプログラムをＲＡＭ１１４にロードして実行することができる。なお、ＣＰＵ１１１が実行するプログラムは、ＣＤ−ＲＯＭ１１８Ａに記録されたプログラムに限られず、ＨＤＤ１１６に記憶されたプログラムをＲＡＭ１１４にロードして実行するようにしてもよい。この場合、ネットワークに接続された他の情報通信機器が、ＭＦＰ１００のＨＤＤ１１６に記憶されたプログラムを書き換える、または、新たなプログラムを追加して書き込むようにしてもよい。さらに、ＭＦＰ１００が、ネットワークに接続された他の情報通信機器からプログラムをダウンロードして、そのプログラムをＨＤＤ１１６に記憶するようにしてもよい。ここでいうプログラムは、ＣＰＵ１１１が直接実行可能なプログラムだけでなく、ソースプログラム、圧縮処理されたプログラムまたは暗号化されたプログラム等を含む。
【００３７】
図１においては、会議に参加する３人のユーザーＡ，ユーザーＢ，ユーザーＣがＭＦＰ１００を用いて会議する場合を例に示している。ユーザーＡは、ＭＦＰ１００の左側面の近傍に位置し、ユーザーＢはＭＦＰ１００の背面の近傍に位置し、ユーザーＣは、ＭＦＰ１００の右側面の近傍に位置する。この場合、カメラ１４０ＡがユーザーＡを撮像した画像をＣＰＵ１１１に出力し、カメラ１４０ＢがユーザーＢを撮像した画像をＣＰＵ１１１に出力し、カメラ１４０ＣがユーザーＣを撮像した画像をＣＰＵ１１１に出力する。
【００３８】
図３は、ＭＦＰが備えるＣＰＵが有する機能の一例を示す図である。図３に示す機能は、ＭＦＰ１００が備えるＣＰＵ１１１が、ＲＯＭ１１３、ＥＥＰＲＯＭ１１５、ＨＤＤ１１６またはＣＤ−ＲＯＭ１１８Ａに記憶された会議支援プログラムを実行することにより、ＣＰＵ１１１に形成される機能である。
【００３９】
図３を参照して、ＣＰＵ１１１は、表示制御部５００を含む。また、表示制御部５００は、タスク制御部３００を含む。タスク制御部３００は、認証部３１０と、起動部３２０と、を含む。認証部３１０は、ユーザーを認証し、認証されたユーザーの位置を決定する。認証部３１０は、カメラ１４０Ａ〜１４０Ｄそれぞれから入力される画像に基づいて、顔認証によりユーザーを認証する。ＭＦＰ１００は、ＭＦＰ１００の使用が許可されたユーザーの認証情報を予めＨＤＤ１１６に記憶している。認証情報は、ユーザーを識別するための識別情報と、そのユーザーの顔を撮像した画像から抽出された特徴情報との組である。特徴情報は、顔の画像中の各部位の形状を構成する特徴点の集合、各部位の色等の情報を含む。認証部３１０は、カメラ１４０Ａ〜１４０Ｄのいずれかから入力される画像から抽出される特徴情報と、ＨＤＤ１１６に記憶された認証情報に含まれる特徴情報とを用いて顔認証する。具体的には、認証部３１０は、例えば、カメラ１４０Ｄから入力される画像から顔が表された領域を抽出する場合、抽出された領域から特徴情報を抽出し、抽出された特徴情報と一致する特徴情報を含む認証情報がＨＤＤ１１６に記憶されている場合に、抽出された特徴情報と一致する特徴情報を含む認証情報に含まれるユーザー識別情報で特定されるユーザーを認証する。
【００４０】
また、認証部３１０は、ユーザーを認証する場合、カメラ１４０Ａ〜１４０Ｄのうち認証されたユーザーを撮像したカメラが配置される位置に基づいて、ユーザーの位置を決定する。認証部３１０は、カメラ１４０Ａが出力する画像に基づいてユーザーを認証する場合、認証されたユーザーの位置をＭＦＰ１００の左側面に決定し、カメラ１４０Ｂが出力する画像に基づいてユーザーを認証する場合、認証されたユーザーの位置をＭＦＰ１００の背面に決定し、カメラ１４０Ｃが出力する画像に基づいてユーザーを認証する場合、認証されたユーザーの位置をＭＦＰ１００の右側面に決定し、カメラ１４０Ｄが出力する画像に基づいてユーザーを認証する場合、認証されたユーザーの位置をＭＦＰ１００の正面に決定する。したがって、認証部３１０が、ログインを同時に許可するユーザーの数は、最大で４人である。
【００４１】
図１に示す例においては、カメラ１４０ＡがユーザーＡを撮像するので、認証部３１０は、ユーザーＡを認証する場合、ユーザーＡの位置をＭＦＰ１００の左側面に決定し、カメラ１４０ＢがユーザーＢを撮像するので、認証部３１０は、ユーザーＢを認証する場合ユーザーＢの位置をＭＦＰ１００の背面に決定し、カメラ１４０ＣがユーザーＣを撮像するので、認証部３１０は、ユーザーＣを認証する場合、ユーザーＣの位置をＭＦＰ１００の右側面に決定する。認証部３１０は、ユーザーを認証することに応じて、認証されたユーザーのユーザー識別情報と、検出されたユーザーの位置との組を起動部３２０に出力する。
【００４２】
なお、認証部３１０によるユーザーの認証の方法は、顔認証とは別の方法を用いることができる。例えば、ＩＤ（Ｉｄｅｎｔｉｆｉｃａｔｉｏｎ）カードを用いてユーザーを認証するようにしてもよい。この場合、カメラ１４０Ａ〜カメラ１４０Ｄに代えて、ユーザーが携帯するＩＤカードに記録された認証情報を読み取るカードリーダーを、ＭＦＰ１００の４つの側面にそれぞれ設けるようにする。ここでの認証情報は、例えば、ユーザーを識別するためのユーザー識別情報である。認証部３１０は、４つの側面にそれぞれ設けられた４つのカードリーダーのいずれかでＩＤカードが検出され、認証情報が読み取られる場合、読み取られた認証情報と同じ認証情報がＨＤＤ１１６に記憶されていれば、認証情報で特定されるユーザーを認証する。また、認証部３１０は、ユーザーを認証する場合、４つの側面にそれぞれ設けられた４つのカードリーダーのうち、認証されたユーザーの認証情報を読み取ったカードリーダーが配置される位置を、ユーザーの位置として検出する。
【００４３】
また、ユーザーの認証情報を受け付けるためのログイン画面を表示部１２０の４辺のそれぞれの近傍に表示し、４つのログイン画面のいずれかに入力される認証情報に基づいて、ユーザーを認証するとともに、認証情報が入力されたログイン画面が表示される位置から認証されたユーザーの位置を決定するようにしてもよい。この場合における認証情報は、ユーザーを識別するためのユーザー識別情報とパスワードとの組である。認証部３１０は、ユーザー識別情報とパスワードとを受け付けるためのキーボードの画像をログイン画面とともに表示部１２０に表示し、タッチパネル１３０が検出するユーザーにより指示された位置と、キーボードの画像が表示部１２０に表示された位置とからユーザーによる文字または数字を入力する操作を決定し、ユーザー識別情報およびパスワードとを受け付ける。認証部３１０は、４つのログイン画面のいずれかで受け付けられたユーザー識別情報およびパスワードの組と同じ組の認証情報がＨＤＤ１１６に記憶されていれば、ユーザー識別情報で特定されるユーザーを認証する。また、認証部３１０は、ユーザーを認証する場合、４つのログイン画面のうちユーザー識別情報およびパスワードの組を受け付けたログイン画面が配置される位置からユーザーの位置を決定する。
【００４４】
具体的には、４つのログイン画面のうちユーザー識別情報およびパスワードの組を受け付けるログイン画面が、表示部１２０の４辺のうちＭＦＰ１００の正面側の辺の近傍に配置された場合には、認証されたユーザーの位置をＭＦＰ１００の正面に決定し、ユーザー識別情報およびパスワードの組を受け付けるログイン画面が、表示部１２０の４辺のうちＭＦＰ１００の右面側の辺の近傍に配置された場合には、認証されたユーザーの位置をＭＦＰ１００の右側面に決定し、ユーザー識別情報およびパスワードの組を受け付けるログイン画面が、表示部１２０の４辺のうちＭＦＰ１００の左面側の辺の近傍に配置された場合には、認証されたユーザーの位置をＭＦＰ１００の左側面に決定し、ユーザー識別情報およびパスワードの組を受け付けるログイン画面が、表示部１２０の４辺のうちＭＦＰ１００の背面側の辺の近傍に配置された場合には、認証されたユーザーの位置をＭＦＰ１００の背面に決定する。
【００４５】
表示制御部５００は、第１個人タスク実行部２００Ａ、第２個人タスク実行部２００Ｂ、第３個人タスク実行部２００Ｃおよび第４個人タスク実行部２００Ｄをさらに含む。起動部３２０は、認証部３１０によりユーザーが認証されることに応じて、第１個人タスク実行部２００Ａ、第２個人タスク実行部２００Ｂ、第３個人タスク実行部２００Ｃおよび第４個人タスク実行部２００Ｄのいずれかを起動する。第１個人タスク実行部２００Ａ、第２個人タスク実行部２００Ｂ、第３個人タスク実行部２００Ｃおよび第４個人タスク実行部２００Ｄそれぞれは、ＣＰＵ１１１が個人タスク実行プログラムを実行することによりＣＰＵ１１１に形成される。
【００４６】
起動部３２０は、認証部３１０から認証されたユーザーのユーザー識別情報とユーザーの位置とが入力される。起動部３２０は、認証部３１０から入力されるユーザーの位置がＭＦＰ１００の左側面を示す場合、第１個人タスク実行部２００Ａを起動し、第１個人タスク実行部２００Ａにユーザー識別情報とユーザーの位置とを出力する。起動部３２０は、認証部３１０から入力されるユーザーの位置がＭＦＰ１００の背面を示す場合、第２個人タスク実行部２００Ｂを起動し、第２個人タスク実行部２００Ｂにユーザー識別情報とユーザーの位置とを出力する。起動部３２０は、認証部３１０から入力されるユーザーの位置がＭＦＰ１００の右側面を示す場合、第３個人タスク実行部２００Ｃを起動し、第３個人タスク実行部２００Ｃにユーザー識別情報とユーザーの位置とを出力する。起動部３２０は、認証部３１０から入力されるユーザーの位置がＭＦＰ１００の正面を示す場合、第４個人タスク実行部２００Ｄを起動し、第４個人タスク実行部２００Ｄにユーザー識別情報とユーザーの位置とを出力する。
【００４７】
第１個人タスク実行部２００Ａ、第２個人タスク実行部２００Ｂ、第３個人タスク実行部２００Ｃおよび第４個人タスク実行部２００Ｄそれぞれは、個人表示領域および共通表示領域が定められている。第１個人タスク実行部２００Ａ、第２個人タスク実行部２００Ｂ、第３個人タスク実行部２００Ｃおよび第４個人タスク実行部２００Ｄそれぞれで定められる個人表示領域は、互いに重なることのない領域である。第１個人タスク実行部２００Ａ、第２個人タスク実行部２００Ｂ、第３個人タスク実行部２００Ｃおよび第４個人タスク実行部２００Ｄそれぞれで定められる共通表示領域は、互いに重なる領域である。第１個人タスク実行部２００Ａ、第２個人タスク実行部２００Ｂ、第３個人タスク実行部２００Ｃおよび第４個人タスク実行部２００Ｄそれぞれは、個人表示領域および共通表示領域に表示するための個人タスク画像を生成するとともに、タッチパネル１３０により個人表示領域および共通表示領域内の位置が検出されることに応じて、検出された位置に基づいて処理を実行する。
【００４８】
共通表示領域は、表示部１２０の表示面の中心を含む矩形の領域である。第１個人タスク実行部２００Ａで定められる個人表示領域は、表示部１２０の表示面中で共通表示領域よりもＭＦＰ１００の左側面側の矩形の領域であり、第２個人タスク実行部２００Ｂで定められる個人表示領域は、表示部１２０の表示面中で共通表示領域よりもＭＦＰ１００の背面側の矩形の領域であり、第３個人タスク実行部２００Ｃで定められる個人表示領域は、表示部１２０の表示面中で共通表示領域よりもＭＦＰ１００の右側面側の矩形の領域であり、第４個人タスク実行部２００Ｄで定められる個人表示領域は、表示部１２０の表示面中で共通表示領域よりもＭＦＰ１００の正面側の矩形の領域である。
【００４９】
例えば、図１に示す位置でユーザーＡ，ユーザーＢ，ユーザーＣが認証部３１０により認証される場合を例に説明する。認証部３１０によりユーザーＡがＭＦＰ１００の左側面で認証されると、起動部３２０は、第１個人タスク実行部２００Ａを起動し、第１個人タスク実行部２００ＡにユーザーＡのユーザー識別情報とユーザーＡの位置として左側面とを出力する。認証部３１０によりユーザーＢがＭＦＰ１００の背面で認証されると、起動部３２０は、第２個人タスク実行部２００Ｂを起動し、第２個人タスク実行部２００ＢにユーザーＢのユーザー識別情報とユーザーＢの位置として背面とを出力する。さらに、認証部３１０によりユーザーＣがＭＦＰ１００の右側面で認証されると、起動部３２０は、第３個人タスク実行部２００Ｃを起動し、第３個人タスク実行部２００ＣにユーザーＣのユーザー識別情報とユーザーＣの位置として右側面とを出力する。
【００５０】
第１個人タスク実行部２００Ａ、第２個人タスク実行部２００Ｂ、第３個人タスク実行部２００Ｃおよび第４個人タスク実行部２００Ｄは、対応する位置でユーザーが認証されることに応じて起動し、認証されたユーザーがログイン中にのみ処理を実行する。第１個人タスク実行部２００Ａ、第２個人タスク実行部２００Ｂ、第３個人タスク実行部２００Ｃおよび第４個人タスク実行部２００Ｄは、それぞれが対応する位置と、認証されたユーザーが異なるのみで機能は同じである。したがって、以下の説明では、特に言及しない限り、第１個人タスク実行部２００Ａを例に説明する。また、ここでは、認証部３１０によってユーザーＡがＭＦＰ１００の左側面で認証され、起動部３２０によって第１個人タスク実行部２００ＡにユーザーＡのユーザー識別情報と、ユーザーＡの位置として左側面とが入力される場合を例に説明する。
【００５１】
図４は、タスク制御部および第１個人タスク実行部の機能の一例を示すブロック図である。図４を参照して、第１個人タスク実行部２００Ａは、個人タスク画像生成部２１０と、データ指定受付部２２０と、移動部２３０と、設定領域表示部２４０と、権限決定部２５０と、個人アクセス受付部２６０と、個人データ処理部２７０と、を含む。
【００５２】
タスク制御部３００は、タスク別データ取得部３３０と、第１記憶部３４０と、データ取得部３５０と、第２記憶部３６０と、共通画像生成部３７０と、合成画面生成部３８０と、タスクアクセス受付部３９０と、タスクデータ処理部４００と、権限設定部４１０と、制限部４２０と、削除部４３０と、を含む。
【００５３】
個人タスク画像生成部２１０は、表示部１２０の表示面中で左側面の位置に対応して定められた個人表示領域および共通表示領域に表示するための個人タスク画像を生成する。個人タスク画像生成部２１０は、起動部３２０により起動される時点では、個人表示領域および共通表示領域を区別可能な個人タスク画像を生成する。例えば、個人タスク画像生成部２１０は、個人表示領域および共通表示領域それぞれの輪郭を示す画像を含む個人タスク画像を生成する。個人タスク画像生成部２１０は、生成された個人タスク画像を合成画面生成部３８０に出力する。合成画面生成部３８０の詳細は後述するが、個人タスク画像は、合成画面生成部３８０によって他の画像と合成され、表示部１２０に表示される。このため、個人タスク画像生成部２１０により生成される個人タスク画像は、表示部１２０の表示面中で、左側面の位置に対応して定められた個人表示領域および共通表示領域に表示される。
【００５４】
データ指定受付部２２０は、ユーザーによる操作に従って処理対象となるデータの指定を受け付ける。データ指定受付部２２０は、データの指定を受け付けることに応じて、指定されたデータのデータ識別情報と起動部３２０から入力されるユーザー識別情報との組をタスク別データ取得部３３０に出力する。例えば、データ指定受付部２２０は、個人タスク画像生成部２１０に、データを識別するためのデータ識別情報を列挙したデータ指定受付画面を個人表示領域に配置した個人タスク画像を生成させ、タッチパネル１３０によりデータ識別情報が表示された画像中の位置が検出されることに応じて、検出された位置に表示されたデータ識別情報で特定されるデータの指定を受け付ける。データ指定受付画面が列挙するデータ識別情報は、起動部３２０から入力されるユーザー識別情報で特定されるユーザー、ここではユーザーＡがアクセスする権限のあるデータである。例えば、ユーザーＡがアクセスする権限のあるデータは、ＨＤＤ１１６が有する複数の記憶領域のうちユーザーＡに割り当てられた記憶領域に記憶されたデータの他、ユーザーＡの権限においてアクセス可能な記憶媒体に記憶されているデータを含む。記憶媒体は、通信Ｉ／Ｆ部１１２を介して接続されたサーバーまたはコンピューター等の他の情報処理装置が有する記憶装置および外部記憶装置１１８に装着されたＣＤ−ＲＯＭ１１８Ａを含む。
【００５５】
タスク別データ取得部３３０は、データ指定受付部２２０からデータ識別情報とユーザー識別情報との組が入力されることに応じて、データ識別情報で特定されるデータを、ユーザー識別情報で特定されるユーザーの権限で取得する。具体的には、タスク別データ取得部３３０は、データ識別情報で特定されるデータが、ＨＤＤ１１６に記憶されていれば、ＨＤＤ１１６からデータ識別情報で特定されるデータを読み出し、外部の情報処理装置に記憶されていれば、通信Ｉ／Ｆ部１１２を制御して外部の情報処理装置からデータ識別情報で特定されるデータを取得し、ＣＤ−ＲＯＭ１１８Ａに記憶されていれば、外部記憶装置１１８を制御してＣＤ−ＲＯＭ１１８Ａからデータ識別情報で特定されるデータを読み出す。タスク別データ取得部３３０は、取得されたデータとユーザー識別情報との組を第１記憶部３４０に出力する。第１記憶部３４０は、タスク別データ取得部３３０からデータとユーザー識別情報とが入力され、データをユーザー識別情報と関連付けて記憶する。第１記憶部３４０は、たとえば、ＲＡＭ１１４の所定の領域である。
【００５６】
個人タスク画像生成部２１０は、第１画像配置部２１５を含む。第１画像配置部２１５は、起動部３２０から入力されるユーザー識別情報と関連付けられたデータが第１記憶部３４０に記憶されることに応じて、当該データを第１記憶部３４０から取得し、取得されたデータの画像を個人タスク画像の個人表示領域に配置することにより個人タスク画像を更新する。この段階で、個人タスク画像は、データ指定受付部２２０によりユーザーにより指定されたデータの画像が個人表示領域に配置された画像となるので、データ指定受付部２２０によりユーザーにより指定されたデータの画像が表示部１２０の表示面で左側面の位置に対応して定められた個人表示領域に表示される。
【００５７】
個人アクセス受付部２６０は、タッチパネル１３０により受け付けられる操作に基づいて、第１記憶部３４０に記憶されたデータに対する操作を受け付ける。データに対する操作は、例えばデータを編集する操作、データを削除する操作を含む。例えば、個人アクセス受付部２６０は、第１画像配置部２１５により個人表示領域に配置された画像中の位置がタッチパネル１３０により検出されると、処理対象となるデータを特定する。個人アクセス受付部２６０は、処理対象となるデータを特定すると、そのデータを識別するためのデータ識別情報と、起動部３２０から入力されるユーザー識別情報と、タッチパネル１３０により受け付けられる操作との組を個人データ処理部２７０に出力する。
【００５８】
個人データ処理部２７０は、個人アクセス受付部２６０からデータ識別情報と、ユーザー識別情報と、操作との組が入力されることに応じて、ユーザー識別情報で特定されるユーザーの権限に基づいて、第１記憶部３４０に記憶されたデータのうち個人アクセス受付部２６０から入力されるデータ識別情報で特定されるデータを、個人アクセス受付部２６０から入力される操作に従って処理する。例えば、個人アクセス受付部２６０から入力される操作が編集する操作の場合、第１記憶部３４０に記憶されたデータを編集し、編集後のデータで更新する。個人アクセス受付部２６０から入力される操作がデータを削除する操作の場合、第１記憶部３４０に記憶されたデータを消去する。個人アクセス受付部２６０から入力される操作がデータを保存する操作の場合、第１記憶部３４０に記憶されたデータを別の記憶領域に記憶する。
【００５９】
移動部２３０は、第１画像配置部２１５により個人タスク画像の個人表示領域に配置された画像をタッチパネル１３０により受け付けられる操作に基づいて個人タスク画像中の別の位置に移動させる。具体的には、移動部２３０は、第１画像配置部２１５により個人タスク画像の個人表示領域に配置された画像中の位置が、タッチパネル１３０により所定時間継続して検出されるとドラッグ操作を検出する。移動部２３０は、ドラッグ操作を検出する場合、その時点でタッチパネル１３０により検出される位置に表示された画像を処理対象に設定する。移動部２３０は、ドラッグ操作を検出した後、タッチパネル１３０により検出される位置の変化に追従して画像を個人タスク画像中で移動させる。移動部２３０は、タッチパネル１３０により検出されていた位置が検出されなくなるとドロップ操作を検出する。移動部２３０は、ドロップ操作を検出すると、最後に検出された位置に画像を配置することにより個人タスク画像を更新する。個人タスク画像生成部２１０は、移動部２３０により更新された個人タスク画像を合成画面生成に３８０に出力する。
【００６０】
個人タスク画像生成部２１０は、起動部３２０から入力されるユーザー識別情報で特定されるユーザーのログアウトを検出する。例えば、第１個人タスク実行部２００Ａに対応する個人タスク画像生成部２１０は、第１個人タスク実行部２００Ａに対応するカメラ１４０Ａが撮像して出力する画像中に被写体として人物が存在しなくなると、ログアウトを検出する。個人タスク画像生成部２１０は、ユーザーのログアウトを検出することに応じて、個人タスク画像中で共通表示領域に配置された画像に対応するデータのデータ識別情報と、共通表示領域に配置された画像の共通表示領域中の位置を示す位置情報と、ログアウトが検出されたユーザーのユーザー識別情報と、の組をデータ取得部３５０に出力する。
【００６１】
設定領域表示部２４０は、移動部２３０が画像を移動させるための操作を受け付けている期間に個人タスク画像の共通表示領域中に１以上の権限設定領域を示す画像を配置する。１以上の権限設定領域は、データへのアクセスを制限する内容の異なる１以上の種類の権限にそれぞれ対応する。ここで、権限とは、データに対して実行可能な処理および実行不可能な処理を定める。例えば、権限は、読出処理を許可するが編集処理および削除処理を許可しない権限、読出処理および編集処理を許可するが削除処理を許可しない権限、読出処理、編集処理および削除処理を許可する権限を含む。１以上の種類の権限は、複数のユーザーの全てがログアウトする前後で制限内容が異なる種類の権限を含む。
【００６２】
権限の一例として、第１権限においては、複数のユーザーの全てがログアウトする前は読出処理は許可されるが編集処理および削除処理が禁止され、複数のユーザーの全てがログアウトした後はデータの読出処理、編集処理および削除処理が禁止される。第２権限においては、複数のユーザーの全てがログアウトする前は読出処理および編集処理が許可されるが削除処理が禁止され、複数のユーザーの全てがログアウトした後は読出処理が許可されるが編集処理および削除処理は禁止される。第３権限においては、複数のユーザーの全てがログアウトする前は読出処理、編集処理および削除処理が許可され、複数のユーザーの全てがログアウトした後は読出処理は許可されるが編集処理および削除処理は禁止される。
【００６３】
権限決定部２５０は、移動部２３０により画像が移動された後にその画像が配置される位置に基づいて、移動された画像に対応するデータに付与する権限を決定する。権限決定部２５０は、移動部２３０により画像が移動された後にその画像が配置される位置が設定領域表示部２４０により個人タスク画像に配置された１以上の権限設定領域のいずれかに含まれる場合、１以上の権限設定領域のうち、移動部２３０により移動された画像の位置を含む権限設定領域を特定するとともに、移動部２３０により移動された画像に対応するデータを特定する。権限決定部２５０は、特定した権限設定領域に対応する種類の権限を特定したデータに対して決定し、決定したデータのデータ識別情報と特定した種類の権限とを権限設定部４１０に出力する。
【００６４】
データ取得部３５０は、個人タスク画像生成部２１０によりユーザーのログアウトが検出されると、個人タスク画像生成部２１０からデータ識別情報と、位置情報と、ユーザー識別情報との組が入力される。データ取得部３５０は、個人タスク画像生成部２１０からデータ識別情報と、位置情報と、ユーザー識別情報との組が入力されることに応じて、第１記憶部３４０により記憶されたデータのうちから個人タスク画像生成部２１０から入力されるデータ識別情報で特定されるデータを取得し、取得されたデータと、位置情報と、ユーザー識別情報とを第２記憶部３６０に出力する。この段階で、第１記憶部３４０は、データ取得部３５０に出力したデータを削除する。第２記憶部３６０は、データ取得部３５０からデータと、位置情報と、ユーザー識別情報と、が入力され、データを位置情報およびユーザー識別情報と関連付けて記憶する。第２記憶部３６０は、たとえば、ＲＡＭ１１４の所定の領域である。
【００６５】
共通画像生成部３７０は、第２記憶部３６０にデータが記憶されることに応じて、共通画像を生成する。共通画像は、表示部１２０の表示面中の位置が第１個人タスク実行部２００Ａ，第２個人タスク実行部２００Ｂ，第３個人タスク実行部２００Ｃおよび第４個人タスク実行部２００Ｄと共通の共通表示領域を含む。具体的には、共通画像生成部３７０は、第２記憶部３６０にデータが記憶されることに応じて、当該データと位置情報とユーザー識別情報とを第２記憶部３６０から取得する。その後、共通画像生成部３７０は、取得したデータの画像を共通表示領域中で位置情報で特定される位置に配置した共通画像を生成する。共通画像生成部３７０は、生成された共通画像を合成画面生成部３８０に出力する。
【００６６】
合成画面生成部３８０は、共通画像生成部３７０から共通画像が入力され、個人タスク画像生成部２１０から個人タスク画像が入力される。合成画面生成部３８０は、共通画像生成部３７０から入力される共通画像と、個人タスク画像生成部２１０から入力される個人タスク画像とを合成した合成画面を生成する。
【００６７】
図４においては、第１個人タスク実行部２００Ａ、第２個人タスク実行部２００Ｂ、第３個人タスク実行部２００Ｃおよび第４個人タスク実行部２００Ｄのうち第１個人タスク実行部２００Ａのみを示し、合成画面生成部３８０に第１個人タスク実行部２００Ａから個人タスク画像が入力される場合を例に示している。合成画面生成部３８０に、第２個人タスク実行部２００Ｂ、第３個人タスク実行部２００Ｃおよび第４個人タスク実行部２００Ｄの少なくとも１つから個人タスク画像が入力される場合がある。以下の説明では、第１個人タスク実行部２００Ａが合成画面生成部３８０に出力する個人タスク画像を第１個人タスク画像といい、第２個人タスク実行部２００Ｂが合成画面生成部３８０に出力する個人タスク画像を第２個人タスク画像といい、第３個人タスク実行部２００Ｃが合成画面生成部３８０に出力する個人タスク画像を第３個人タスク画像といい、第４個人タスク実行部２００Ｄが合成画面生成部３８０に出力する個人タスク画像を第４個人タスク画像という。合成画面生成部３８０は、共通画像と、第１個人タスク画像、第２個人タスク画像、第３個人タスク画像および第４個人タスク画像を合成した合成画面を生成する。また、合成画面生成部３８０は、表示部１２０を制御して、生成した合成画面を表示する。
【００６８】
権限設定部４１０は、権限決定部２５０からデータ識別情報と権限とが入力されることに応じて、第２記憶部３６０に記憶されたデータのうち権限決定部２５０から入力されるデータ識別情報で特定されるデータに対して権限決定部２５０から入力される権限を付与する。制限部４３０は、タスクデータ処理部４００が権限決定部２５０から入力されるデータ識別情報で特定されるデータに対して実行可能な処理を、権限決定部２５０から入力される権限で定められた範囲に制限する。
【００６９】
タスクアクセス受付部３９０は、タッチパネル１３０により受け付けられる操作に基づいて、第２記憶部３６０に記憶されたデータに対する操作を受け付ける。データに対する操作は、例えばデータを編集する操作、データを削除する操作、データを保存する操作を含む。例えば、タスクアクセス受付部３９０は、共通画像生成部３７０により生成された共通画像中の共通表示領域に配置された画像中の位置がタッチパネル１３０により検出されると、処理対象となるデータを特定する。タスクアクセス受付部３９０は、処理対象となるデータを特定すると、そのデータを識別するためのデータ識別情報と、タッチパネル１３０により受け付けられる操作との組をタスクデータ処理部４００に出力する。
【００７０】
タスクデータ処理部４００は、タスクアクセス受付部３９０からデータ識別情報と、操作との組が入力されることに応じて、第２記憶部３６０に記憶されたデータのうちタスクアクセス受付部３９０から入力されるデータ識別情報で特定されるデータを、制限部４２０により制限されていないことを条件に、タスクアクセス受付部３９０から入力される操作に従って処理する。例えば、タスクアクセス受付部３９０から入力される操作がデータを編集する操作の場合、タスクデータ処理部４００は、第２記憶部３６０に記憶されたデータに対して編集が許可されていることを条件にそのデータを編集し、編集後のデータで更新する。タスクアクセス受付部３９０から入力される操作がデータを削除する操作の場合、タスクデータ処理部４００は、第２記憶部３６０に記憶されたデータに対して削除が許可されていることを条件にそのデータを消去する。タスクアクセス受付部３９０から入力される操作がデータを保存する操作の場合、タスクデータ処理部４００は、第２記憶部３６０に記憶されたデータに対して保存が許可されていることを条件にそのデータを別の記憶領域に保存する。
【００７１】
削除部４３０は、タッチパネル１３０により受け付けられる操作に基づいて、データの有効期間を設定する。削除部４３０は、複数のユーザーの全てがログアウトした後、データの有効期間の経過後に、第２記憶部３６０に記憶されたデータの削除指令をタスクデータ処理部４００に出力する。タスクデータ処理部４００は、削除部４３０から削除指令が入力される場合、第２記憶部３６０に記憶されたデータを、制限部４２０による制限に係らず削除する。これにより、会議の終了後の有効期間経過後にデータが拡散することが防止される。
【００７２】
図５は、表示部の表示面を示す平面図である。図５を参照して、表示部１２０の表示面は、第１個人表示領域１２１、第２個人表示領域１２２、第３個人表示領域１２３、第４個人表示領域１２４および共通表示領域１２５を含む。第１個人表示領域１２１は、表示面の４辺のうちＭＦＰ１００の左側面側の辺の近傍に位置する。第２個人表示領域１２２は、表示面の４辺のうちＭＦＰ１００の背面側の辺の近傍に位置する。第３個人表示領域１２３は、表示面の４辺のうちＭＦＰ１００の右側面側の辺の近傍に位置する。第４個人表示領域１２４は、表示面の４辺のうち正面側の辺の近傍に位置する。共通表示領域１２５は、表示面の中央に位置する。
【００７３】
図６は、第１個人タスク画像の一例を示す図である。図６を参照して、第１個人タスク画像２１１は、第１個人表示領域１２１に配置される第１個人領域画像２１１Ａおよび共通表示領域１２５に配置される第１共通画像２１１Ｂを含む。第１共通画像２１１Ｂは、表示面の中央の共通表示領域１２５に配置され、第１個人領域画像２１１Ａは、表示面の左側面側の第１個人表示領域１２１に配置される。第１個人タスク画像２１１は、ＭＦＰ１００の左側面に設置されたカメラ１４０Ａにより撮像されたユーザーＡが認証される場合に、第１個人タスク実行部２００Ａにより生成される画像である。そのため、第１個人領域画像２１１Ａは、表示面中でユーザーＡに最も近い第１個人表示領域１２１に配置される。第１個人タスク画像２１１は、ユーザーにより指定されたデータの画像を、第１個人領域画像２１１Ａに含む。図６では、ユーザーＡにより処理対象として指定されたデータの画像Ｄｏｃ１が第１個人領域画像２１１Ａに表示される場合を例に示している。
【００７４】
図７は、第２個人タスク画像の一例を示す図である。図７を参照して、第２個人タスク画像２１２は、第２個人表示領域１２２に配置される第２個人領域画像２１２Ａおよび共通表示領域１２５に配置される第２共通画像２１２Ｂを含む。第２共通画像２１２Ｂは、表示面の中央の共通表示領域１２５に配置され、第２個人領域画像２１２Ａは、表示面の背面側の第２個人表示領域１２２に配置される。第２個人タスク画像２１２は、ＭＦＰ１００の背面に設置されたカメラ１４０Ｂにより撮像されたユーザーＢが認証される場合に、第２個人タスク実行部２００Ｂにより生成される画像である。そのため、第２個人領域画像２１２Ａは、表示面中でユーザーＢに最も近い第２個人表示領域１２２に配置される。第２個人タスク画像２１２は、ユーザーにより指定されたデータの画像を、第２個人領域画像２１２Ａに含む。図７では、ユーザーＢにより処理対象として指定されたデータの画像Ｄｏｃ２および画像Ｄｏｃ３が第２個人領域画像２１２Ａに表示される場合を例に示している。
【００７５】
図８は、第３個人タスク画像の一例を示す図である。図８を参照して、第３個人タスク画像２１３は、第３個人表示領域１２３に配置される第３個人領域画像２１３Ａおよび共通表示領域１２５に配置される第３共通画像２１３Ｂを含む。第３共通画像２１３Ｂは、表示面の中央の共通表示領域１２５に配置され、第３個人領域画像２１３Ａは、表示面の右側面側の第３個人表示領域１２３に配置される。第３個人タスク画像２１３は、ＭＦＰ１００の右側面に設置されたカメラ１４０Ｃにより撮像されたユーザーＣが認証される場合に、第３個人タスク実行部２００Ｃにより生成される画像である。そのため、第３個人領域画像２１３Ａは、表示面中でユーザーＣに最も近い第３個人表示領域１２３に配置される。第３個人タスク画像２１３は、ユーザーにより指定されたデータの画像を、第３個人領域画像２１３Ａに含む。図８では、ユーザーＣにより処理対象として指定されたデータの画像Ｄｏｃ４が第３個人領域画像２１３Ａに表示される場合を例に示している。
【００７６】
図９は、第４個人タスク画像の一例を示す図である。図９を参照して、第４個人タスク画像２１４は、第４個人表示領域１２４に配置される第４個人領域画像２１４Ａおよび共通表示領域１２５に配置される第４共通画像２１４Ｂを含む。第４共通画像２１４Ｂは、表示面の中央の共通表示領域１２５に配置され、第４個人領域画像２１４Ａは、表示面の背面側の第４個人表示領域１２４に配置される。第４個人タスク画像２１４は、ＭＦＰ１００の正面に設置されたカメラ１４０Ｄにより撮像されたユーザーＤ（図示せず）が認証される場合に、第４個人タスク実行部２００Ｄにより生成される画像である。そのため、第４個人領域画像２１４Ａは、表示面中でユーザーＤに最も近い第４個人表示領域１２４に配置される。第４個人タスク画像２１４は、ユーザーにより指定されたデータの画像が、第４個人領域画像２１４Ａに含む。図９では、ユーザーＤにより処理対象として指定されたデータの画像Ｄｏｃ５が第４個人領域画像２１４Ａに表示される場合を例に示している。
【００７７】
第１個人領域画像２１１Ａ、第２個人領域画像２１２Ａ、第３個人領域画像２１３Ａおよび第４個人領域画像２１４Ａは、対応するユーザーＡ〜Ｄごとに表示部１２０の表示面中で配置される位置が異なる。このため、第１個人領域画像２１１Ａ、第２個人領域画像２１２Ａ、第３個人領域画像２１３Ａおよび第４個人領域画像２１４Ａは、互いに重ならない。
【００７８】
一方、第１共通画像２１１Ｂ、第２共通画像２１２Ｂ、第３共通画像２１３Ｂおよび第４共通画像２１４Ｂは、対応するユーザーＡ〜Ｄ間で表示部１２０の表示面中で配置される位置が同じ共通表示領域１２５である。このため、第１共通画像２１１Ｂ、第２共通画像２１２Ｂ、第３共通画像２１３Ｂおよび第４共通画像２１４Ｂは、共通表示領域１２５で互いに重なるように合成される。なお、タッチパネル１３０が共通表示領域１２５の位置または大きさを変更するための操作を受け付けた場合には、合成画面生成部３８０は、受け付けた操作に応じて、表示部１２０の表示面における共通表示領域１２５の位置または大きさを変更するようにしてもよい。
【００７９】
図１０は、個人表示領域に配置された画像の移動の一例を示す図である。ここでは、第２個人タスク画像２１２を例に、第２個人表示領域１２２に配置された画像が共通表示領域１２５に移動する場合を例に説明する。図１０を参照して、第２個人表示領域１２２に配置された画像Ｄｏｃ２および画像Ｄｏｃ３のうち、画像Ｄｏｃ２がユーザーＢによるドラッグ操作、指を移動させる移動操作およびドロップ操作によって共通表示領域１２５に移動される。第２個人タスク画像２１２は、第２個人領域画像２１２Ａに画像Ｄｏｃ２および画像Ｄｏｃ３を含み第２共通画像２１２Ｂに画像を含まない状態から、第２個人領域画像２１２Ａに画像Ｄｏｃ３を含み第２共通画像２１２Ｂに画像Ｄｏｃ２を含む状態に更新される。
【００８０】
図１１は、権限設定領域の一例を示す図である。ここでは、図１０に示した第２個人表示領域１２２に配置された画像Ｄｏｃ２を共通表示領域１２５に移動させる操作を受け付けている期間に有効となる権限設定領域を例に説明する。図１１を参照して、第２個人タスク画像２１２は、第２共通画像２１２Ｂ中に３つの権限設定領域２４１〜２４３を示す画像を含む。権限設定領域２４１は第１権限が割り当てられ、権限設定領域２４２は第２権限が割り当てられ、権限設定領域２４３は第３権限が割り当てられる。
【００８１】
ユーザーによるドロップ操作によって、画像Ｄｏｃ２が、権限設定領域２４１〜２４３のいずれか、例えば、権限設定領域２４１内の位置に移動されると、画像Ｄｏｃ２に対応するデータに、権限設定領域２４１に対する第１権限が付与される。また、ユーザーによるドロップ操作が受け付けられた後は、第２個人タスク画像２１２は、第２個人領域画像２１２Ａに画像Ｄｏｃ３を含み第２共通画像２１２Ｂに画像Ｄｏｃ２を含む状態に更新されるとともに、権限設定領域２４１〜２４３の画像が非表示となる。また、画像Ｄｏｃ２に対応するデータには、権限設定領域２４１に対応する第１権限が付与される。
【００８２】
さらに、画像Ｄｏｃ２に対応するデータに第１権限が付与されたのち、画像Ｄｏｃ２が第２個人表示領域１２２に移動されると、画像Ｄｏｃ２に対応するデータに付与された第１権限が消去される。図１２は、権限が付与されたデータから権限を変更する操作の一例を示す図である。図１２を参照して、権限設定領域２４１内に移動された画像Ｄｏｃ２が、ユーザーによるドラッグ操作、移動操作およびドロップ操作によって、矢印ａで示すように第２個人表示領域１２２にさらに移動された場合には、画像Ｄｏｃ２に付与された第１権限が削除される。また、権限設定領域２４１内に移動された画像Ｄｏｃ２が、矢印ｂで示すように権限設定領域２４２内にさらに移動された場合には、画像Ｄｏｃ２に対応するデータに付与された第１権限が、権限設定領域２４２に対応する第２権限に更新される。また、権限設定領域２４１内に移動された画像Ｄｏｃ２が、矢印ｃで示すように権限設定領域２４３内にさらに移動された場合には、画像Ｄｏｃ２に付与された第１権限が、権限設定領域２４３に対応する第３権限に更新される。
【００８３】
図１３は、共通画像の一例を示す図である。共通画像３７１は、共通表示領域１２５に配置される画像である。図１３においては、図１０に示した更新後の第２個人タスク画像２１２が表示された状態で、ユーザーＢがログアウトする場合に生成される共通画像を説明する。図１３を参照して、共通画像３７１は、図１０に示した第２個人タスク画像２１２の第２共通画像２１２Ｂに含まれる画像Ｄｏｃ２を含む。
【００８４】
図１４は、合成画面の一例を示す図である。ここでは、ユーザーＢがログアウトする場合に生成される合成画面を説明する。ユーザーＢがログアウトする場合、図１０に示した第２個人タスク画像２１２が表示されなくなる。図１４を参照して、合成画面３８１は、第１個人タスク画像２１１、第３個人タスク画像２１３、第４個人タスク画像２１４、および共通画像３７１を、合成した画像である。図１４においては、合成画面３８１は、ログイン中のユーザーＡ，Ｃ，Ｄにそれぞれ対応する１個人タスク画像２１１、第３個人タスク画像２１３および第４個人タスク画像２１４と、共通画像３７１と、を合成した画像である。
【００８５】
図１５は、ＭＦＰの動作の一例を示すタイムチャートである。図１５を参照して、ＭＦＰ１００は、時点ｔ１において、ユーザーＡを認証する。ここでは、カメラ１４０Ａから入力される画像に基づいてユーザーＡを認証するので、ユーザーＡの位置を左側面に決定し、第１個人タスク画像２１１を表示部１２０に表示する。
【００８６】
ＭＦＰ１００は、時点ｔ２において、ユーザーＢを認証する。ここでは、カメラ１４０Ｂから入力される画像に基づいてユーザーＢを認証するので、ユーザーＢの位置を背面に決定し、第２個人タスク画像２１２を第１個人タスク画像２１１と合成した合成画面を表示部１２０に表示する。
【００８７】
ＭＦＰ１００は、時点ｔ３において、ユーザーＣを認証する。ここでは、カメラ１４０Ｃから入力される画像に基づいてユーザーＣを認証するので、ユーザーＣの位置を右側面に決定し、第３個人タスク画像２１３を、第１個人タスク画像２１１および第２個人タスク画像２１２と合成した合成画面を表示部１２０に表示する。
【００８８】
次に、ＭＦＰ１００は、時点ｔ４において、ユーザーＢが、データを指定する操作を入力すれば、時点ｔ５において、ユーザーＢにより指定されたデータをユーザーＢの権限で取得し、第１記憶部３４０に記憶し、時点ｔ６において、記憶されたデータの画像Ｄｏｃ２を第２個人表示領域１２２に表示する。
【００８９】
時点ｔ７〜ｔ８において、ＭＦＰ１００は、第２個人表示領域１２２に配置された画像Ｄｏｃ２を、ユーザーによるドラッグ操作、移動操作およびドロップ操作に従って移動させる。ＭＦＰ１００は、ユーザーによるドラッグ操作により画像Ｄｏｃ２が選択され、ユーザーによる移動操作を受け付けている期間、共通表示領域１２５に権限設定領域２４１〜２４３の画像を表示する。
【００９０】
ＭＦＰ１００は、さらに、ユーザーによるドロップ操作を受け付ける場合、ドロップ操作により特定される位置に基づいて、画像Ｄｏｃ２に対応するデータに権限を決定する。ここでは、ユーザーによる移動操作によって画像Ｄｏｃ２が権限設定領域２４１内に移動され、ドロップ操作を受け付ける場合、画像Ｄｏｃ２に対応するデータに付与する権限として第１権限に決定する。
【００９１】
ＭＦＰ１００は、時点ｔ９において、ユーザーＢのログアウトを検出する。ここでは、カメラ１４０Ｂが撮像して出力する画像中に人の画像が存在しなくなる場合に、ユーザーＢのログアウトを検出する。ＭＦＰ１００は、ユーザーＢのログアウトを検出することに応じて、第２個人タスク画像２１２の表示を中止する。また、ＭＦＰ１００は、共通表示領域１２５に表示されている画像のうち、ユーザーＢの権限で取得されたデータの画像Ｄｏｃ２を特定し、第１記憶部３４０により記憶されたデータのうちから特定された画像Ｄｏｃ２に対応するデータを、そのデータに付与された権限である第１権限を付与して第２記憶部３６０に記憶するとともに、第１記憶部３４０から消去する。さらに、第２記憶部３６０に記憶されたデータの画像Ｄｏｃ２を含む共通画像を生成し、表示する。このため、ログイン中のユーザーＣ，Ａは、ユーザーＢがログアウトした後にであっても、ユーザーＢの権限で取得されたデータの画像Ｄｏｃ２を閲覧することができる。また、画像Ｄｏｃ２に対応するデータに対して付与された第１権限の範囲内でアクセスすることができる。
【００９２】
その後、ＭＦＰ１００は、時点ｔ１０において、ユーザーＣ，Ａのログアウトを検出する。ここでは、カメラ１４０Ｃ，１４０Ａが撮像して出力する画像中に人の画像がそれぞれ存在しなくなる場合に、ユーザーＣ，Ａのログアウトを検出する。この場合、ＭＦＰ１００は、表示部１２０に表示されている第１個人タスク画像２１１および第３個人タスク画像２１３の表示を終了する。
【００９３】
時点ｔ１１において、時点ｔ１０から経過する期間が予め定められた有効期間を超えると、ＭＦＰ１００は、第２記憶部３６０に記憶された画像Ｄｏｃ２に対応するデータを削除する。ＭＦＰ１００は、時点ｔ１０から時点ｔ１１の期間においては、第２記憶部３６０に記憶された画像Ｄｏｃ２に対応するデータは、そのデータに付与された第１権限の範囲内でアクセスを許可する。
【００９４】
図１６は、タスク制御処理の流れの一例を示すフローチャートである。タスク制御処理は、ＭＦＰ１００が備えるＣＰＵ１１１が、ＲＯＭ１１３、ＥＥＰＲＯＭ１１５、ＨＤＤ１１６またはＣＤ−ＲＯＭ１１８Ａに記憶されたタスク制御プログラムを実行することにより、ＣＰＵ１１１により実行される処理である。タスク制御プログラムは、会議支援プログラムの一部である。以下、ＣＰＵ１１１がタスク制御プログラムを実行するタスクをタスク制御タスクという。
【００９５】
図１６を参照して、タスク制御タスクは、ユーザーの認証に成功したか否かを判断する（ステップＳ０１）。具体的には、タスク制御タスクは、カメラ１４０Ａ〜１４０Ｄそれぞれから入力される画像に基づいて、顔認証によりユーザーを認証する。ユーザーの認証に成功する場合、タスク制御タスクは、処理をステップＳ０２に進めるが、そうでなければ処理をステップＳ０４に進める。ステップＳ０２においては、認証されたユーザーを撮像したカメラが配置される位置に基づいて、ユーザーの位置を決定し、処理をステップＳ０３に進める。ステップＳ０３においては、認証したユーザーに対応する個人タスクを起動し、処理をステップＳ０４に進める。具体的には、ＣＰＵ１１１は、個人タスク実行プログラムを実行することにより個人タスクを起動する。タスク制御タスクは、起動した個人タスクに、認証したユーザーの位置とユーザー識別情報とを出力する。
【００９６】
ここで、起動された個人タスクが実行する個人タスク実行処理について説明する。図１７は、個人タスク実行処理の流れの一例を示すフローチャートである。個人タスク実行処理は、図１６のステップＳ０３の処理に応答してＭＦＰ１００が備えるＣＰＵ１１１が、ＲＯＭ１１３、ＥＥＰＲＯＭ１１５、ＨＤＤ１１６またはＣＤ−ＲＯＭ１１８Ａに記憶された個人タスク実行プログラムを実行することにより、ＣＰＵ１１１により実行される処理である。個人タスク実行プログラムは、会議支援プログラムの一部である。以下、ＣＰＵ１１１が個人タスク実行プログラムを実行するタスクを個人タスクという。また、個人タスクは、タスク制御タスクによって起動され、タスク制御タスクと並列で処理を実行する。さらに、タスク制御タスクによって複数の個人タスクが起動される場合がある。
【００９７】
図１７を参照して、個人タスクは、タスク制御タスクから出力される位置情報およびユーザー識別情報を取得する（ステップＳ７１）。次のステップＳ７２においては、個人タスク画像を生成し、処理をステップＳ７３に進める。具体的には、タスク制御タスクから取得された位置情報に基づいて個人表示領域を特定し、表示部１２０の表示面中の個人表示領域と共通表示領域とに表示するための個人タスク画像を生成する。
【００９８】
ステップＳ７３においては、生成された個人タスク画像をタスク制御タスクに出力し、処理をステップＳ７４に進める。個人タスク画像が入力される場合にタスク制御タスクが実行する処理の詳細は後述するが、個人タスク画像を含む合成画面を表示部１２０に表示する。
【００９９】
ステップＳ７４においては、ユーザーからデータの指定を受け付けたか否かを判断する。具体的には、個人タスクは、データを識別するためのデータ識別情報を列挙したデータ指定受付画面を個人表示領域に配置した個人タスク画像を生成し、タッチパネル１３０によりデータ識別情報が表示された画像中の位置が検出されることに応じて、検出された位置に表示されたデータ識別情報で特定されるデータの指定を受け付ける。個人タスクは、データの指定が受け付けたならば、処理をステップＳ７５に進めるが、そうでなければ処理をステップＳ７８に進める。
【０１００】
ステップＳ７５においては、データ取得要求をタスク制御タスクに出力し、処理をステップＳ７６に進める。データ取得要求は、ステップＳ７１において取得されたユーザー識別情報と、ステップＳ７４において指定されたデータのデータ識別情報とを含む。データ取得要求が入力される場合にタスク制御タスクが実行する処理の詳細は後述するが、ユーザー識別情報で特定されるユーザーに与えられた権限の範囲内でデータ識別情報により特定されるデータを取得して、取得されたデータを第１記憶部３４０に記憶する。
【０１０１】
ステップＳ７６においては、タスク制御タスクにより出力されるデータを取得し、処理をステップＳ７７に進める。具体的には、個人タスクは、第１記憶部３４０に記憶されたデータのうちステップＳ７４において受け付けられたデータ識別情報により特定されるデータを読み込む。ステップＳ７７においては、取得されたデータの画像を個人タスク画像の個人表示領域に配置し、処理をステップＳ７８に進める。
【０１０２】
ステップＳ７８においては、ユーザーによるドラッグ操作を受け付けたか否かを判断する。具体的には、個人タスクは、ステップＳ７７において配置された画像中の位置がタッチパネル１３０により所定時間継続して検出される場合に、ドラッグ操作を受け付ける。ドラッグ操作を受け付けたならば、処理をステップＳ７９に進めるが、そうでなければ処理をステップＳ８０に進める。
【０１０３】
ステップＳ７９においては、画像配置更新処理を実行し、処理をステップＳ８２に進める。画像配置更新処理の詳細については後述するが、画像配置更新処理は、個人表示領域に配置された画像を移動させるとともに、画像が権限設定領域内に移動された場合には、当該画像に対応するデータの権限を決定する処理である。
【０１０４】
ステップＳ８０においては、個人タスクは、第１記憶部３４０に記憶されたデータへのアクセスを受け付けたか否かを判断する。具体的には、個人タスクは、第１記憶部３４０に記憶されたデータのうちアクセスするデータを指定する操作および当該データに対して実行する処理を指示する操作を受け付けたか否かを判断する。例えば、個人表示領域に配置された画像内の位置がタッチパネル１３０により検出される場合に、第１記憶部３４０に記憶されたデータのうちタッチパネル１３０により検出された位置を含む画像に対応するデータを指定する操作を受け付ける。また、プルダウンメニューで実行させる複数の処理をそれぞれ示す複数の処理名称を表示し、複数の処理名所のいずれかの位置が、タッチパネル１３０により検出される場合に、タッチパネル１３０により検出される位置に配置された処理名称に対応する処理を指示する操作を受け付ける。個人タスクは、アクセスを受け付けたならば、処理をステップＳ８１に進めるが、そうでなければ処理をステップＳ８２に進める。
【０１０５】
ステップＳ８１においては、第１記憶部３４０に記憶されたデータのうちステップＳ８０において指定されたデータに対して、ステップＳ８０において指定された処理を実行し、処理をステップＳ８２に進める。ステップＳ８２においては、ユーザーのログアウトを検出したか否かを判断する。具体的には、カメラ１４０Ａ〜１４０Ｄが撮像して出力する画像中に対応するユーザーの画像が存在しなくなった場合に、ユーザーのログアウトを検出する。ユーザーのログアウトを検出したならば、処理をステップＳ８３に進めるが、そうでなければ処理をステップＳ７４に戻す。
【０１０６】
ステップＳ８３においては、ログアウト情報をタスク制御タスクに出力し、処理を終了する。ログアウト情報は、共通表示領域に配置された画像の共通表示領域中の位置を特定するための位置情報、共通表示領域に配置された画像に対応するデータのデータ識別情報およびログアウトしたユーザーを特定するためのユーザー識別情報を含む。
【０１０７】
図１８は、画像配置更新処理の流れの一例を示すフローチャートである。画像配置更新処理は、図１７に示した個人タスク実行処理のステップＳ７９において実行される処理である。図１８を参照して、個人タスクは、ドラッグ操作されているデータを特定し、処理をステップＳ９２に進める（ステップＳ９１）。具体的には、個人タスクは、ドラッグ操作を受け付けた時点でタッチパネル１３０により検出される位置を含む画像に対応するデータを特定する。
【０１０８】
ステップＳ９２においては、個人タスク画像の共通表示領域中に１以上の権限設定領域を示す画像を表示し、処理をステップＳ９３に進める。ステップＳ９３においては、ユーザーによる移動操作を受け付けたか否かを判断する。具体的には、タッチパネル１３０により検出される位置が時間の経過に伴って変化する場合に、移動操作を受け付ける。移動操作を受け付けたならば、処理をステップＳ９４に進めるが、そうでなければ処理をステップＳ９７に進める。
【０１０９】
ステップＳ９４においては、移動操作において検出される位置の変化に追従して、ステップＳ９１において特定されたデータの画像を個人タスク画像中で移動させ、処理をステップＳ９５に進める。ステップＳ９５においては、画像を移動させた後の個人タスク画像を生成し、処理をステップＳ９６に進める。これにより、個人タスク画像が更新される。ステップＳ９６においては、生成された個人タスク画像をタスク制御タスクに出力し、処理をステップＳ９２に戻す。タスク制御タスクによって、更新された個人タスク画像を含む合成画面が表示部１２０に表示される。
【０１１０】
ステップＳ９７においては、ユーザーによるドロップ操作を受け付けたか否かを判断する。具体的には、タッチパネル１３０により検出されていた位置が検出されなくなるとドロップ操作を検出する。これにより、更新された個人タスク画像においては、移動後の画像の位置が確定し、タッチパネル１３０により最後に検出された位置に画像が配置される。ドロップ操作を受け付けたならば、処理をステップＳ９８に進めるが、そうでなければ処理をステップＳ９２に戻す。
【０１１１】
ステップＳ９８においては、ドロップ操作を受け付けた時点の画像がステップＳ９２において配置された１以上の権限設定領域いずれかの内部に配置されているか否かを判断する。ドロップ操作を受け付けた時点の画像が１以上の権限設定領域いずれかの内部に配置されているならば、処理をステップＳ９９に進めるが、そうでなければ処理を個人タスク実行処理に戻す。
【０１１２】
ステップＳ９９においては、個人タスクは、ステップＳ９１において特定されたデータの権限を決定し、処理をステップＳ１００に進める。具体的には、ステップＳ９２において配置された１以上の権限設定領域のうちステップＳ９７においてドロップ操作を受け付けた時点に画像が配置された権限設定領域に対応する権限を、ステップＳ９１において特定されたデータに対する権限に決定する。
【０１１３】
ステップＳ１００においては、権限情報をタスク制御タスクに出力し、処理をステップＳ１０１に進める。権限情報は、ステップＳ９１において特定されたデータを特定するためのデータ識別情報およびステップＳ９９において決定された権限を含む。ステップＳ１０１においては、ステップＳ９２において個人タスク画像の共通表示領域中に配置された１以上の権限設定領域を示す画像の表示を終了し、処理を個人タスク実行処理に戻す。
【０１１４】
図１６に戻って、ステップＳ０４においては、タスク制御タスクは、起動している個人タスクが存在するか否かを判断する。タスク制御タスクは、起動している個人タスクが存在するならば、処理をステップＳ０５に進めるが、そうでなければ処理をステップＳ１０に進める。ステップＳ０５においては、画像表示処理を実行し、処理をステップＳ０６に進める。
【０１１５】
図１９は、画像表示処理の流れの一例を示すフローチャートである。画像表示処理は、図１６に示したタスク制御処理のステップＳ０５において実行される処理である。画像表示処理が実行される前の段階で、少なくとも１つの個人タスクが起動されている。図１９を参照して、タスク制御タスクは、起動中の１以上の個人タスクのいずれかから個人タスク画像が入力されたか否かを判断する（ステップＳ２１）。タスク制御タスクは、個人タスク画像が入力されたならば、処理をステップＳ２２に進めるが、そうでなければ処理をステップＳ２５に進める。ステップＳ２２においては、入力された個人タスク画像をＲＡＭ１１４に記憶し、処理をステップＳ２３に進める。
【０１１６】
ステップＳ２３においては、ＲＡＭ１１４に記憶された１以上の個人タスク画像および後述する図１８に示す合成画面更新処理により共通画像がＲＡＭ１１４に記憶されている場合にはその共通画像を合成することにより合成画面を生成し、処理をステップＳ２４に進める。合成画面は、１以上の個人タスク画像の個人領域画像が互いに重ならず、１以上の個人タスク画像それぞれの共通画像と、共通画像が存在する場合にはその共通画像とが互いに重なる画像であるを生成する。
【０１１７】
ステップＳ２４においては、ステップＳ２３において生成された合成画面を表示部１２０に表示し、処理をステップＳ２５に進める。例えば、タスク制御タスクは、第１個人領域画像２１１Ａ、第２個人領域画像２１２Ａ、第３個人領域画像２１３Ａおよび第４個人領域画像２１４Ａを、表示部１２０の表示面の第１個人表示領域１２１、第２個人表示領域１２２、第３個人表示領域１２３および第４個人表示領域１２４にそれぞれ配置する。また、タスク制御タスクは、第１共通画像２１１Ｂ、第２共通画像２１２Ｂ、第３共通画像２１３Ｂ、第４共通画像２１４Ｂおよび共通画像３７１を合成した画像を、表示部１２０の表示面の共通表示領域１２５に配置する。
【０１１８】
ステップＳ２５においては、起動中の１以上の個人タスクからデータ取得要求が入力されたか否かを判断する。データ取得要求が入力されたならば、処理をステップＳ２６に進めるが、そうでなければ処理をステップＳ２９に進める。ステップＳ２６においては、データ取得要求に含まれるデータ識別情報で特定されるデータを、データ取得要求に含まれるユーザー識別情報で特定されるユーザーの権限で取得し、処理をステップＳ２７に進める。具体的には、ＣＰＵ１１１は、データ識別情報で特定されるデータが、ＨＤＤ１１６に記憶されていれば、ＨＤＤ１１６からデータ識別情報で特定されるデータを取得し、外部の情報処理装置に記憶されていれば、通信Ｉ／Ｆ部１１２を制御して外部の情報処理装置からデータ識別情報で特定されるデータを取得し、ＣＤ−ＲＯＭ１１８Ａに記憶されていれば、外部記憶装置１１８を制御してＣＤ−ＲＯＭ１１８Ａからデータ識別情報で特定されるデータを取得する。
【０１１９】
ステップＳ２７においては、ステップＳ２６において取得されたデータをユーザー識別情報と関連付けて第１記憶部３４０に記憶し、処理をステップＳ２８に進める。ステップＳ２８においては、第１記憶部３４０に記憶されたデータを、データ取得要求を送信してきた個人タスクに出力し、処理をステップＳ２９に進める。
【０１２０】
ステップＳ２９においては、起動中の１以上の個人タスクのいずれかから権限情報が入力されたか否かを判断する。権限情報は、データ識別情報および当該データ識別情報で特定されるデータに対して権限情報を送信してきた個人タスクによって決定された権限を含む。タスク制御タスクは、権限情報が入力されたならば処理をステップＳ３０に進めるが、そうでなければ処理をタスク制御処理に戻す。ステップＳ３０においては、タスク制御タスクは、入力された権限情報に含まれるデータ識別情報で特定されるデータに対して権限情報に含まれる権限を設定し、処理をタスク制御処理に戻す。
【０１２１】
図１６に戻って、ステップＳ０６においては、タスク制御タスクは、起動中の１以上の個人タスクのいずれかからログアウト情報が入力されたか否かを判断する。１以上の個人タスクそれぞれは、対応するユーザーのログアウトを検出すると（図１７のステップＳ８２でＹＥＳ）、ログアウト情報をタスク制御タスクに出力するので、そのログアウト情報が入力されたか否かを判断する。ログアウト情報は、データ識別情報と、位置情報と、ユーザー識別情報とを含む。タスク制御タスクは、ログアウト情報が入力されたならば、処理をステップＳ０７に進めるが、そうでなければ処理をステップＳ０１に戻す。ステップＳ０７においては、合成画面更新処理を実行し、処理をステップＳ０８に進める。
【０１２２】
図２０は、合成画面更新処理の流れの一例を示すフローチャートである。合成画面更新処理は、図１６に示したタスク制御処理のステップＳ０７において実行される処理である。タスク制御処理が実行される前の段階で、１以上の個人タスクのいずれかからログアウト情報が入力されている。図２０を参照して、タスク制御タスクは、ログアウト情報に含まれるデータ識別情報、位置情報およびユーザー識別情報をＲＡＭ１１４に記憶する（ステップＳ４１）。次のステップＳ４２においては、タスク制御タスクは、ステップＳ４１においてＲＡＭ１１４に記憶されたユーザー識別情報に基づいてログアウトしたユーザーを特定し、処理をステップＳ４３に進める。ステップＳ４３においては、ステップＳ４２において特定されたユーザーに対応する個人タスクにより生成された個人タスク画像を合成画面から消去し、処理をステップＳ４４に進める。
【０１２３】
ステップＳ４４においては、ステップＳ４１においてＲＡＭ１１４に記憶されたデータ識別情報に基づいてデータを特定し、処理をステップＳ４５に進める。具体的には、ＣＰＵ１１１は、第１記憶部３４０に記憶されたデータのうちＲＡＭ１１４に記憶されたデータ識別情報で特定されるデータを特定する。換言すれば、ログアウトしたユーザーに対応する個人タスクにより生成された個人タスク画像の共通表示領域１２５に配置された画像に対応するデータを特定する。
【０１２４】
次のステップＳ４５においては、ステップＳ４４において特定されたデータを第２記憶部３６０に、位置情報およびユーザー識別情報と関連付けて記憶し、処理をステップＳ４６に進める。ステップＳ４６においては、第１記憶部３４０に記憶されたデータのうちステップＳ４１においてＲＡＭ１１４に記憶されたデータ識別情報で特定されるデータを削除し、処理をステップＳ４７に進める。換言すれば、ステップＳ４５において第２記憶部３６０に記憶されたデータと同じデータを第１記憶部３４０から削除する。
【０１２５】
次のステップＳ４７においては、ステップＳ４１においてＲＡＭ１１４に記憶された位置情報に基づいて表示部１２０の表示面中の位置を特定し、処理をステップＳ４８に進める。ステップＳ４８においては、ステップＳ４４において特定されたデータの画像を、ステップＳ４７において特定された位置に配置することにより共通画像を生成し、処理をステップＳ４９に進める。
【０１２６】
次のステップＳ４９においては、合成画面を生成し、処理をステップＳ５０に進める。具体的には、ステップＳ４８において生成した共通画像と、図１９に示した画像表示処理のステップＳ２２においてＲＡＭ１１４に記憶された１以上の個人タスク画像とを合成することにより合成画面を新たに生成する。ステップＳ５０においては、生成された合成画面を表示部１２０に表示し、処理をタスク制御処理に戻す。
【０１２７】
図１６に戻って、ステップＳ０８においては、タスク制御タスクは、第２記憶部３６０に記憶されたデータへのアクセスを受け付けたか否かを判断する。具体的には、タスク制御タスクは、第２記憶部３６０に記憶されたデータのうちアクセスするデータをを指定する操作および当該データに対して実行する処理を指示する操作を受け付けたか否かを判断する。例えば、共通表示領域に配置された画像内の位置がタッチパネル１３０により所定時間継続して検出される場合に、タッチパネル１３０により検出された位置を含む画像に対応するデータが、第２記憶部３４０に記憶されたデータであれば、そのデータを指定する操作を受け付ける。また、プルダウンメニューで実行させる複数の処理をそれぞれ示す複数の処理名称を表示し、複数の処理名所のいずれかの位置が、タッチパネル１３０により検出される場合に、タッチパネル１３０により検出される位置に配置された処理名称に対応する処理を指示する操作を受け付ける。タスク制御タスクは、アクセスを受け付けたならば、処理をステップＳ０９に進めるが、そうでなければ処理をステップＳ０１に戻す。ステップＳ０９においては、データ操作処理を実行し、処理をステップＳ０１に戻す。
【０１２８】
図２１は、データ操作処理の流れの一例を示すフローチャートである。データ操作処理は、図１６に示したタスク制御処理のステップＳ０９において実行される処理である。データ操作処理が実行される前の段階で、データに対するアクセスが受け付けられており、アクセスの対象となるデータのデータ識別情報および、そのデータに対して実行する処理が決定されている。図２１を参照して、タスク制御タスクは、第２記憶部３６０にデータが記憶されているか否かを判断する（ステップＳ６１）。第２記憶部３６０にアクセスの対象となるデータが記憶されているならば、処理をステップＳ６２に進めるが、そうでなければ処理をタスク制御処理に戻す。
【０１２９】
ステップＳ６２においては、ステップＳ６１において特定されたデータに対して、データ操作処理が実行される前の段階で決定されている処理を実行する権限があるか否かを判断する。アクセス制御タスクは、アクセスの対象となるデータに対して処理を実行する権限が存在するならば、処理をステップＳ６３に進めるが、そうでなければ処理をタスク制御処理に戻す。ステップＳ６３においては、タスク制御タスクは、第２記憶部３６０に記憶されたデータのうちデータ識別情報で特定されるデータに対して、決定されている処理を実行し、処理をタスク制御処理に戻す。
【０１３０】
図１６に戻って、処理がステップＳ１０に進む場合、個人タスクが１つも存在しない場合である。この場合、過去に１以上の個人タスクが起動されていれば、第２記憶部３６０にデータが記憶されている場合がある。タスク制御タスクは、ステップＳ１０において、第２記憶部３６０にデータが記憶されているか否かを判断する。第２記憶部３６０にデータが記憶されているならば、処理をステップＳ１１に進めるが、そうでなければ処理をステップＳ０１に戻す。
【０１３１】
ステップＳ１１においては、ステップＳ０８と同様に、第２記憶部３６０に記憶されたデータへのアクセスを受け付けたか否かを判断する。アクセスを受け付けたならば、処理をステップＳ１２に進めるが、そうでなければ処理をステップＳ１４に進める。ステップＳ１２においては、ステップＳ１１において受け付けられたアクセスに従ってデータにアクセスするための権限が存在するか否かを判断する。タスク制御タスクは、ステップＳ１１において受け付けられたアクセスによって特定されるデータに関連付けて記憶された権限に基づいて、そのアクセスによって特定される処理を実行可能か否かを判断する。タスク制御タスクは、アクセス権限が存在するならば、処理をステップＳ１３に進めるが、そうでなければ処理をステップＳ１４に進める。
【０１３２】
ステップＳ１３においては、第２記憶部３６０に記憶されたデータのうちステップＳ１１において受け付けられたアクセスで特定されるデータをステップＳ１１において受け付けられたアクセスで特定される処理を実行し、処理をステップＳ１４に進める。
【０１３３】
ステップＳ１４においては、全てのユーザーがログアウトしてから有効期間が経過したか否かを判断する。有効期間が経過したならば、処理をステップＳ１５に進めるが、そうでなければ処理をステップＳ１１に戻す。タスク制御タスクは、ステップＳ１０においてＹＥＳと判断される場合に、全てのユーザーがログアウトしたと判断する。ステップＳ１５においては、タスク制御タスクは、第２記憶部３６０に記憶されたデータを削除し、処理を終了する。
【０１３４】
なお、本実施の形態においては、図４を参照して、第１個人タスク実行部２００Ａ、第２個人タスク実行部２００Ｂ、第３個人タスク実行部２００Ｃ、および第４個人タスク実行部２００Ｄそれぞれが処理対象とするデータを、タスク制御部３００が取得し、第１記憶部３４０に記憶するようにした。これに代えて、第１個人タスク実行部２００Ａ、第２個人タスク実行部２００Ｂ、第３個人タスク実行部２００Ｃ、および第４個人タスク実行部２００Ｄそれぞれが、処理対象とするデータを取得し、第１個人タスク画像、第２個人タスク画像、第３個人タスク画像および第４個人タスク画像をそれぞれ生成するようにしてもよい。この場合、第１個人タスク実行部２００Ａ、第２個人タスク実行部２００Ｂ、第３個人タスク実行部２００Ｃ、および第４個人タスク実行部２００Ｄそれぞれが、タスク別データ取得部３３０および第１記憶部３４０を有することになる。
【０１３５】
以上説明したように、本実施の携帯におけるＭＦＰ１００は、情報処理装置として機能し、ユーザーＡ、ユーザーＢおよびユーザーＣがログインしている状態から、例えば、ユーザーＢがログアウトすることに応じて、ユーザーＣのアクセス権限に基づいて取得されたデータのうち第２個人タスク画像２１２の第２個人表示領域１２２に配置された画像Ｄｏｃ３の表示を終了し、共通表示領域１２５に配置された画像Ｄｏｃ２の表示を継続する。このため、ユーザーＢは、自身のアクセス権限に基づいて取得されたデータの画像Ｄｏｃ２を共通表示領域に配置することにより、画像Ｄｏｃ２に対応するデータに対する他のユーザーによるアクセスを許可することができ、自身のアクセス権限に基づいて取得されたデータの画像Ｄｏｃ３を共通表示領域に配置しないことにより、画像Ｄｏｃ３に対応するデータに対する他のユーザーによるアクセスを許可しないようにすることができる。また、ログアウトしていないユーザーＡおよびユーザーＣは、画像Ｄｏｃ３に対応し、ログアウトしたユーザーＢのアクセス権限に基づいて取得されたデータを閲覧することができる。
【０１３６】
また、ＭＦＰ１００が備えるＣＰＵ１１１は、ログインしたユーザーＡ、ユーザーＢおよびユーザーＣにそれぞれ対応する３つの個人タスクと、３つの個人タスクを制御するタスク制御タスクと、を形成し、３つの個人タスク各々は、ユーザーＡ、ユーザーＢおよびユーザーＣごとに個人タスク画像を生成し、個人タスク画像の個人表示領域に配置されたデータの画像をタッチパネル１３０により受け付けられる操作に基づいて表示部１２０の表示面中で移動させ、タスク制御タスクは、例えば、ユーザーＢがログアウトすることに応じて、ログアウトしたユーザーＢのアクセス権限に基づいて取得されたデータの画像Ｄｏｃ２，Ｄｏｃ３のうち共通表示領域１２５に配置された画像Ｄｏｃ２を、共通表示領域１２５に配置した共通画像を生成し、ログイン中のユーザーＡおよびユーザーＢにそれぞれ対応する第１個人タスク画像および第３個人タスク画像と共通画像とを合成した合成画面を表示部１２０に表示させる。このため、ログアウトしたユーザーＢのアクセス権限に基づいて取得されたデータの画像Ｄｏｃ２を共通表示領域１２５に配置した共通画像が表示されるので、ログアウトしたユーザーＢのアクセス権限に基づいて取得されたデータに対して、ログインしているユーザーＡおよびユーザーＣによるアクセスを可能にすることができる。
【０１３７】
また、タスク制御タスクは、さらに、ユーザーＢがログアウトすることに応じて、ユーザーＢのアクセス権限に基づいて取得されたデータのうち対応する画像が共通表示領域１２５に移動された画像に対応するデータを第１記憶部３４０から読みだして第２記憶部３６０に記憶する。このため、ログアウトしたユーザーＢのアクセス権限に基づいて取得されたデータに対して、ログインしているユーザーＡおよびユーザーＣによるアクセスが可能となる。
【０１３８】
また、タスク制御タスクは、第２記憶部３６０に記憶されたデータへのアクセスを制限するための権限を設定する。このため、ログアウトしたユーザーＢは、自身のアクセス権限に基づいて取得されたデータに対して、ログインしているユーザーＡおよびユーザーＣによるアクセスを制限することができる。
【０１３９】
さらに、３つの個人タスクの各々は、共通表示領域１２５中に、制限内容の異なる１以上の種類の権限にそれぞれ対応する３つの権限設定領域２４１，２４２，２４３を表示し、権限設定領域２４１，２４２，２４３のうち画像が移動された後の位置を含む権限設定領域に対応する種類の権限を、移動された画像に対応するデータに対して決定する。このため、共通表示領域１２５に配置された画像に対応するデータに付与する権限を、画像を移動させるドラッグ操作、移動操作およびドロップ操作で設定することができ、権限を設定する操作が容易となる。
【０１４０】
また、共通表示領域１２５に配置された画像Ｄｏｃ２に対応するデータが、ユーザーＡ，ユーザーＢおよびユーザーＣの全てがログアウトした後の有効期間の経過後に削除されるので、データが拡散するのを防止することができる。
【０１４１】
なお、本実施の携帯においては、ユーザーＡ，ユーザーＢおよびユーザーＣの全てがログアウトした後の有効期間の経過後に、第２記憶部３６０に記憶されたデータ、具体的には、画像Ｄｏｃ２に対応するデータを削除するようにしたが、第２記憶部３６０に記憶されたデータを削除しないようにしてもよい。この場合には、削除部４３０は不要である。また、この場合、第２記憶部３６０に記憶されたデータに対して付与される権限を、ユーザーＡ，ユーザーＢおよびユーザーＣの全てがログアウトする前後で制限内容が異なる種類の権限を付与するようにしてもよい。会議の開催中と、会議が終了した後で、データに対して実行可能な処理を異ならせることができる。例えば、会議中のみデータの編集を可能として、会議が終了した後は、編集を不可能にする権限とすれば、会議の終了後にデータが変更されるのを防止することができる。
【０１４２】
また、本実施の形態においては、情報処理装置の一例としてＭＦＰ１００を例に説明したが、図１６〜図２１に示した処理をＭＦＰ１００に実行させる会議支援方法、またはその会議支援方法を、ＭＦＰ１００が備えるＣＰＵ１１１に実行させる会議支援プログラムとして発明を捉えることができるのは言うまでもない。
【０１４３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１４４】
＜付記＞
（１）  共通画像生成手段は、複数の個人タスク実行手段のうち共通表示領域に画像を移動させた個人タスク実行手段による共通表示領域への画像の移動が完了することに応じて、タスク別データ取得手段により取得されたデータのうち共通表示領域へ移動された画像に対応するデータの画像を共通画像に配置し、複数の個人タスク実行手段のうち共通表示領域に画像を移動させた個人タスク実行手段は、移動手段による共通表示領域への画像の移動が完了するまで画像を表示し、移動手段による共通表示領域への画像の移動が完了することに応じて、画像の表示を終了する、請求項７に記載の情報処理装置。
（２）  複数の個人タスク実行手段それぞれは、共通表示領域への画像の移動が完了した後、共通画像に配置された画像が操作手段により受け付けられる操作に基づいて個人表示領域に移動されることに応じて、タスク別データ取得手段により取得されたデータのうち個人表示領域へ移動された画像に対応するデータの画像を個人表示領域に配置する、請求項８に記載の情報処理装置。
【符号の説明】
【０１４５】
１００  ＭＦＰ、１１０  メイン回路、１１１  ＣＰＵ、１１２  通信Ｉ／Ｆ部、１１３  ＲＯＭ、１１４  ＲＡＭ、１１５  ＥＥＰＲＯＭ、１１６  ＨＤＤ、１１７  ファクシミリ部、１１８  外部記憶装置、１１８Ａ  ＣＤ−ＲＯＭ、１２０  表示部、１２１  第１個人領域、１２２  第２個人領域、１２３  第３個人領域、１２４  第４個人領域、１２５  共通表示領域、１３０  タッチパネル、１４０Ａ〜１４０Ｄ  カメラ、１５０  原稿読取部、１６０  画像形成部、１７０  給紙部、２００Ａ  第１個人タスク実行部、２００Ｂ  第２個人タスク実行部、２００Ｃ  第３個人タスク実行部、２００Ｄ  第４個人タスク実行部、２１０  個人タスク画像生成部、２１１  第１個人タスク画像、２１１Ａ  第１個人領域画像、２１１Ｂ  第１共通画像、２１２  第２個人タスク画像、２１２Ａ  第２個人領域画像、２１２Ｂ  第２共通画像、２１３  第３個人タスク画像、２１３Ａ  第３個人領域画像、２１３Ｂ  第３共通画像、２１４  第４個人タスク画像、２１４Ａ  第４個人領域画像、２１４Ｂ  第４共通画像、２１５  第１画像配置部、２２０  データ指定受付部、２３０  移動部、２４０  設定領域表示部、２４１〜２４３  権限設定領域、２５０  権限決定部、２６０  個人アクセス受付部、２７０  個人データ処理部、３００  タスク制御部、３１０  認証部、３２０  起動部、３３０  タスク別データ取得部、３４０  第１記憶部、３５０  データ取得部、３６０  第２記憶部、３７０  共通画像生成部、３７１  共通画像、３８０  合成画面生成部、３８１  合成画面、３９０  タスクアクセス受付部、４００  タスクデータ処理部、４１０  権限設定部、４２０  制限部、４３０  削除部、５００  表示制御部、Ａ，Ｂ，Ｃ，Ｄ  ユーザー
【図１】
0006649614.tif 000002
【図２】
0006649614.tif 000003
【図３】
0006649614.tif 000004
【図４】
0006649614.tif 000005
【図５】
0006649614.tif 000006
【図６】
0006649614.tif 000007
【図７】
0006649614.tif 000008
【図８】
0006649614.tif 000009
【図９】
0006649614.tif 000010
【図１０】
0006649614.tif 000011
【図１１】
0006649614.tif 000012
【図１２】
0006649614.tif 000013
【図１３】
0006649614.tif 000014
【図１４】
0006649614.tif 000015
【図１５】
0006649614.tif 000016
【図１６】
0006649614.tif 000017
【図１７】
0006649614.tif 000018
【図１８】
0006649614.tif 000019
【図１９】
0006649614.tif 000020
【図２０】
0006649614.tif 000021
【図２１】
0006649614.tif 000022